(57)【要約】  本出願は、通信処理方法及び装置を開示したものである。当該方法は、ユーザー設備がネットワーク側装置に能力指示情報を報告することにより、動的時分割複信アップリンク・ダウンリンク構成をサポートするかを指示し、動的時分割複信アップリンク・ダウンリンク構成をサポートする場合、時分割複信アップリンク・ダウンリンク構成指示を受信すれば、指示した時分割複信アップリンク・ダウンリンク構成及び現在利用する時分割複信アップリンク・ダウンリンク構成から１セットを選択し、選択した時分割複信アップリンク・ダウンリンク構成に基づいて、各サブフレームの伝送方向を確定する。本出願に係る実施例において、動的時分割複信アップリンク・ダウンリンク構成をサポートするユーザー設備に対し、時分割複信アップリンク・ダウンリンク構成指示を受信する場合、１セットの時分割複信アップリンク・ダウンリンク構成して、各サブフレームの伝送方向を確定することにより、前記シナリオで、サブフレーム伝送方向が確定できない従来の問題点を解決する。
2016510560.tif 000002
【特許請求の範囲】
【請求項１】
通信処理方法であって、
ユーザー設備がネットワーク側装置に能力指示情報を報告し、前記能力指示情報は、動的時分割複信アップリンク・ダウンリンク構成をサポートするかを示すステップと、
前記ユーザー設備が動的時分割複信アップリンク・ダウンリンク構成をサポートすれば、時分割複信アップリンク・ダウンリンク構成指示を受信すると、指示した時分割複信アップリンク・ダウンリンク構成及び現在利用する時分割複信アップリンク・ダウンリンク構成から１セットを選択し、選択した時分割複信アップリンク・ダウンリンク構成に基づいて、各サブフレームの伝送方向を確定ステップとを備えることを特徴とする通信処理方法。
【請求項２】
前記ユーザー設備が指示した時分割複信アップリンク・ダウンリンク構成及び現在利用する時分割複信アップリンク・ダウンリンク構成から１セットを選択することは、以下のようであり、
前記ユーザー設備が、前記指示した時分割複信アップリンク・ダウンリンク構成を選択し、
前記ユーザー設備が時分割複信アップリンク・ダウンリンク構成指示を受信した後、前記方法は、
前記ユーザー設備が、前記指示した時分割複信アップリンク・ダウンリンク構成で、ユーザー設備に格納した時分割複信アップリンク・ダウンリンク構成を替えるステップ、
または、
前記ユーザー設備が、前記ユーザー設備に格納した、前記指示した時分割複信アップリンク・ダウンリンク構成の構成仕様と同一である時分割複信アップリンク・ダウンリンク構成をサーチし、前記指示した時分割複信アップリンク・ダウンリンク構成で、前記格納した時分割複信アップリンク・ダウンリンク構成を替えるステップとを備えることを特徴とする請求項１に記載の通信処理方法。
【請求項３】
前記ユーザー設備が指示した時分割複信アップリンク・ダウンリンク構成及び現在利用する時分割複信アップリンク・ダウンリンク構成から１セットを選択することは、以下のようであり、
前記ユーザー設備が、前記時分割複信アップリンク・ダウンリンク構成指示が動的時分割複信アップリンク・ダウンリンク構成指示であるかを判断し、「ＹＥＳ」であれば、前記指示した時分割複信アップリンク・ダウンリンク構成を選択し、「ＮＯ」であれば、現在利用する時分割複信アップリンク・ダウンリンク構成を選択し、
前記ユーザー設備が前記時分割複信アップリンク・ダウンリンク構成指示が動的時分割複信アップリンク・ダウンリンク構成指示であるかを判断した後、前記方法は、
動的時分割複信アップリンク・ダウンリンク構成指示であれば、前記ユーザー設備が、前記指示した時分割複信アップリンク・ダウンリンク構成で、ユーザー設備に格納した時分割複信アップリンク・ダウンリンク構成を替え、または、前記ユーザー設備が、ユーザー設備に格納した、前記指示した時分割複信アップリンク・ダウンリンク構成の構成仕様と同一である時分割複信アップリンク・ダウンリンク構成をサーチし、前記指示した時分割複信アップリンク・ダウンリンク構成で、前記格納した時分割複信アップリンク・ダウンリンク構成を替えるステップを備えることを特徴とする請求項１に記載の通信処理方法。
【請求項４】
静的または半静的時分割複信アップリンク・ダウンリンク構成指示及び動的時分割複信アップリンク・ダウンリンク構成指示を同時に受信すれば、前記ユーザー設備が指示した時分割複信アップリンク・ダウンリンク構成及び現在利用する時分割複信アップリンク・ダウンリンク構成から１セットを選択することは、以下のようであり、
前記ユーザー設備が、前記動的時分割複信アップリンク・ダウンリンク構成指示が指示した時分割複信アップリンク・ダウンリンク構成を選択し、
前記ユーザー設備が時分割複信アップリンク・ダウンリンク構成指示を受信した後、前記方法は、
前記ユーザー設備が、前記動的時分割複信アップリンク・ダウンリンク構成指示が指示した時分割複信アップリンク・ダウンリンク構成で、ユーザー設備に格納した時分割複信アップリンク・ダウンリンク構成を替えるステップと、
または、
前記ユーザー設備が、前記動的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替え、前記静的または半静的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替えるステップとを備えることを特徴とする請求項１に記載の通信処理方法。
【請求項５】
静的または半静的時分割複信アップリンク・ダウンリンク構成指示及び動的時分割複信アップリンク・ダウンリンク構成指示を同時に受信すれば、前記ユーザー設備が指示した時分割複信アップリンク・ダウンリンク構成及び現在利用する時分割複信アップリンク・ダウンリンク構成から１セットを選択することは、以下のようであり、
前記ユーザー設備が、前記静的または半静的時分割複信アップリンク・ダウンリンク構成指示が指示した時分割複信アップリンク・ダウンリンク構成を選択し、
前記ユーザー設備が時分割複信アップリンク・ダウンリンク構成指示を受信した後、前記方法は、
前記ユーザー設備が、前記静的または半静的時分割複信アップリンク・ダウンリンク構成指示が指示した時分割複信アップリンク・ダウンリンク構成で、ユーザー設備に格納した時分割複信アップリンク・ダウンリンク構成を替えるステップと、
または、
前記ユーザーが、アップリンク・ダウンリンク指示が指示した時分割複信アップリンク・ダウンリンク構成で、ユーザー設備に格納した、同様な構成仕様を採用する時分割複信アップリンク・ダウンリンク構成を替え、前記静的または半静的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替えるステップとを備えることを特徴とする請求項１に記載の通信処理方法。
【請求項６】
事前確定した伝送待機データを搬送するサブフレームの伝送方向が、選択した時分割複信アップリンク・ダウンリンク構成により確定した伝送方向と異なれば、前記方法は、
前記ユーザー設備が、前記伝送待機データを搬送するサブフレームにおいて、前記伝送待機データの伝送を停止するステップを備えることを特徴とする請求項１に記載の通信処理方法。
【請求項７】
前記伝送待機データを搬送するサブフレームが、アップリンクまたはダウンリンク半永続スケジューリングデータの伝送に用いれば、前記方法は、
前記ユーザー設備が、アップリンクまたはダウンリンク半永続スケジューリングリソースを解放するステップを備え、
前記伝送待機データを搬送するサブフレームが、初期伝送または物理アップリンク共有チャネルの再伝送に用いれば、前記方法は、
前記ユーザー設備が、前記サブフレームにて伝送すべく物理層アップリンク共有チャネルに対応するハイブリッド自動再送要求の再伝送プロセスを解放するステップを備え、
前記伝送待機データを搬送するサブフレームが、ＳＲＳ及び/または物理アップリンク制御チャネルの伝送に用いれば、前記方法は、
前記ユーザー設備が、無線リソース制御プロトコル層に、前記ＳＲＳ及び/または物理アップリンク制御チャネル構成を解放することを通知するステップを備えることを特徴とする請求項６に記載の通信処理方法。
【請求項８】
前記伝送待機データを搬送するサブフレームにおいて、アップリンクまたはダウンリンク半永続スケジューリングデータの伝送を停止すれば、前記方法は、
前記ユーザー設備が、前記選択した時分割複信アップリンク・ダウンリンク構成が半永続スケジューリング伝送方向と同一であるサブフレームにおいて、前記半永続スケジューリングにより伝送しようとするデータの動的スケジューリングを受信するステップを備えることを特徴とする請求項６または請求項７に記載の通信処理方法。
【請求項９】
動的時分割複信アップリンク・ダウンリンク構成をサポートし、動的時分割複信アップリンク・ダウンリンク構成を起動した後、前記方法は、
前記ユーザー設備が、アップリンクまたはダウンリンク半永続スケジューリングリソースを解放するステップを備えることを特徴とする請求項１に記載の通信処理方法。
【請求項１０】
前記動的時分割複信アップリンク・ダウンリンク構成が利用できなくなった後、前記方法は、
半永続スケジューリングで、アップリンク/ダウンリンク半永続スケジューリングデータの伝送を行うことを特徴とする請求項９に記載の通信処理方法。
【請求項１１】
伝送時間間隔バンドル伝送の場合、前記指示した時分割複信アップリンク・ダウンリンク構成は、時分割複信アップリンク・ダウンリンク構成０、または１、または６であることを特徴とする請求項１ないし請求項７、請求項９及び請求項１０のいずれに記載の通信処理方法。
【請求項１２】
通信処理方法であって、
前記方法は、
ネットワーク側装置が、ユーザー設備から報告した能力指示情報に基づいて、動的時分割複信アップリンク・ダウンリンク構成をサポートするかを確定するステップと、
前記ユーザー設備が動的時分割複信アップリンク・ダウンリンク構成をサポートすれば、前記ネットワーク側装置が前記ユーザー設備に時分割複信アップリンク・ダウンリンク構成指示を送信した後、指示した時分割複信アップリンク・ダウンリンク構成及び前記ユーザー設備が現在利用する時分割複信アップリンク・ダウンリンク構成から１セットを選択し、選択した時分割複信アップリンク・ダウンリンク構成に基づいて、前記ユーザー設備のために、各サブフレームの伝送方向を確定するステップとを備えることを特徴とする通信処理方法。
【請求項１３】
前記ネットワーク側装置が、指示した時分割複信アップリンク・ダウンリンク構成及び前記ユーザー設備が現在利用する時分割複信アップリンク・ダウンリンク構成から１セットを選択することは、以下のようであり、
前記ネットワーク側装置が、前記指示した時分割複信アップリンク・ダウンリンク構成を選択し、
前記ネットワーク側装置が時分割複信アップリンク・ダウンリンク構成指示を送信した後、前記方法は、
前記ネットワーク側装置が、前記指示した時分割複信アップリンク・ダウンリンク構成で、ネットワークが格納した前記ユーザー設備の時分割複信アップリンク・ダウンリンク構成を替えるステップと、
または、
前記ネットワーク側装置が、ネットワークが格納した、前記指示した時分割複信アップリンク・ダウンリンク構成の構成仕様と同一である前記ユーザー設備の時分割複信アップリンク・ダウンリンク構成をサーチし、前記指示した時分割複信アップリンク・ダウンリンク構成で、前記格納した前記ユーザー設備の時分割複信アップリンク・ダウンリンク構成を替えるステップとを備えることを特徴とする請求項１２に記載の通信処理方法。
【請求項１４】
前記ネットワーク側装置が、指示した時分割複信アップリンク・ダウンリンク構成及び前記ユーザー設備が現在利用する時分割複信アップリンク・ダウンリンク構成から１セットを選択することは、以下のようであり、
前記ネットワーク側装置が、前記時分割複信アップリンク・ダウンリンク構成指示が動的時分割複信アップリンク・ダウンリンク構成指示であるかを判断し、「ＹＥＳ」であれば、前記指示した時分割複信アップリンク・ダウンリンク構成を選択し、「ＮＯ」であれば、前記ユーザー設備が現在利用する時分割複信アップリンク・ダウンリンク構成を選択し、
前記時分割複信アップリンク・ダウンリンク構成指示が動的時分割複信アップリンク・ダウンリンク構成指示であるかを判断した後、前記方法は、
動的時分割複信アップリンク・ダウンリンク構成指示であれば、前記ネットワーク側装置前記指示した時分割複信アップリンク・ダウンリンク構成で、ネットワークが格納した前記ユーザー設備の時分割複信アップリンク・ダウンリンク構成を替え、または、前記ネットワーク側装置が、ネットワークが格納した、前記指示した時分割複信アップリンク・ダウンリンク構成の構成仕様と同一である前記ユーザー設備の時分割複信アップリンク・ダウンリンク構成をサーチし、前記指示した時分割複信アップリンク・ダウンリンク構成で、前記格納した前記ユーザー設備の時分割複信アップリンク・ダウンリンク構成を替えるステップを備えることを特徴とする請求項１２に記載の通信処理方法。
【請求項１５】
静的または半静的時分割複信アップリンク・ダウンリンク構成指示及び動的時分割複信アップリンク・ダウンリンク構成指示を同時に送信すれば、前記ネットワーク側装置が、指示した時分割複信アップリンク・ダウンリンク構成及び前記ユーザー設備が現在利用する時分割複信アップリンク・ダウンリンク構成から１セットを選択することは、以下のようであり、
前記ネットワーク側装置は、前記動的時分割複信アップリンク・ダウンリンク構成指示が指示した時分割複信アップリンク・ダウンリンク構成を選択し、
前記ネットワーク側装置が、時分割複信アップリンク・ダウンリンク構成指示を送信した後、前記方法は、
前記ネットワーク側装置が、前記動的時分割複信アップリンク・ダウンリンク構成指示が指示した時分割複信アップリンク・ダウンリンク構成で、ネットワークが格納した前記ユーザー設備の時分割複信アップリンク・ダウンリンク構成を替えるステップと、
または、
前記ネットワーク側装置が、前記動的時分割複信アップリンク・ダウンリンク指示が指示した時分割複信アップリンク・ダウンリンク構成で、ネットワークが前記ユーザー設備格納した同一な構成仕様を採用する時分割複信アップリンク・ダウンリンク構成を替え、前記静的または半静的時分割複信アップリンク・ダウンリンク指示が指示した時分割複信アップリンク・ダウンリンク構成で、ネットワークが前記ユーザー設備に格納した、同一な構成仕様を採用した時分割複信アップリンク・ダウンリンク構成を替えるステップとを備えることを特徴とする請求項１２に記載の通信処理方法。
【請求項１６】
静的または半静的時分割複信アップリンク・ダウンリンク構成指示及び動的時分割複信アップリンク・ダウンリンク構成指示を同時に送信すれば、前記ネットワーク側装置が、指示した時分割複信アップリンク・ダウンリンク構成及び前記ユーザー設備が現在利用する時分割複信アップリンク・ダウンリンク構成から１セットを選択することは、
前記ネットワーク側装置が、前記静的または半静的時分割複信アップリンク・ダウンリンク構成指示が指示した時分割複信アップリンク・ダウンリンク構成を選択し、
前記ネットワーク側装置が、時分割複信アップリンク・ダウンリンク構成指示を送信した後、前記方法は、
前記ネットワーク側装置が、前記静的または半静的時分割複信アップリンク・ダウンリンク構成指示が指示した時分割複信アップリンク・ダウンリンク構成で、ネットワークが格納した前記ユーザー設備の時分割複信アップリンク・ダウンリンク構成を替え、
または、
前記ネットワーク側装置が、前記動的時分割複信アップリンク・ダウンリンク指示が指示した時分割複信アップリンク・ダウンリンク構成で、ネットワークが前記ユーザー設備格納した同一な構成仕様を採用する時分割複信アップリンク・ダウンリンク構成を替え、前記静的または半静的時分割複信アップリンク・ダウンリンク指示が指示した時分割複信アップリンク・ダウンリンク構成で、前記ユーザー設備格納した同一な構成仕様を採用する時分割複信アップリンク・ダウンリンク構成を替えることを特徴とする請求項１２に記載の通信処理方法。
【請求項１７】
前記ユーザー設備が動的時分割複信アップリンク・ダウンリンク構成をサポートしなければ、前記方法は、
時分割複信アップリンク・ダウンリンク構成指示を送信した後、前記ネットワーク側装置が、指示した時分割複信アップリンク・ダウンリンク構成が動的時分割複信アップリンク・ダウンリンク構成であるかを判断するステップと、
「ＹＥＳ」であれば、前記ネットワーク側が、前記ユーザー設備が現在利用する時分割複信アップリンク・ダウンリンク構成に基づいて前記ユーザー設備のために各サブフレームの伝送方向を確定するステップと、
「ＮＯ」であれば、前記ネットワーク側装置が、前記指示した時分割複信アップリンク・ダウンリンク構成に基づいて、前記ユーザー設備のために、各サブフレームの伝送方向を確定し、前記指示した時分割複信アップリンク・ダウンリンク構成で、前記ユーザー設備現在利用する時分割複信アップリンク・ダウンリンク構成を替えるステップとを備えることを特徴とする請求項１２に記載の通信処理方法。
【請求項１８】
前記ユーザー設備のために、事前に確定した伝送待機データを搬送するサブフレームの伝送方向が、選択した時分割複信アップリンク・ダウンリンク構成に基づいて前記ユーザー設備のために確定した伝送方向が異なれば、前記方法は、
前記ネットワーク側装置が、前記伝送待機データを搬送するサブフレームにおいて、伝送待機データの伝送を停止するステップを備えることを特徴とする請求項１２に記載の通信処理方法。
【請求項１９】
前記伝送待機データを搬送するサブフレームが、アップリンクまたはダウンリンク半永続スケジューリングデータの伝送に用いれば、前記方法は、
前記ネットワーク側装置が、アップリンクまたはダウンリンク半永続スケジューリングリソースを解放するステップを備え、
前記伝送待機データを搬送するサブフレームが、初期伝送または物理アップリンク共有チャネルの再伝送に用いれば、前記方法は、
前記ネットワーク側装置が、前記サブフレームにて伝送すべく物理層アップリンク共有チャネルに対応するハイブリッド自動再送要求の再伝送プロセスを解放するステップを備え、
前記伝送待機データを搬送するサブフレームが、ＳＲＳ及び/または物理アップリンク制御チャネルの伝送に用いれば、前記方法は、
前記ネットワーク側装置が、無線リソース制御プロトコル層に、前記ＳＲＳ及び/または物理アップリンク制御チャネル構成を解放することを通知するステップを備えることを特徴とする請求項１８に記載の通信処理方法。
【請求項２０】
前記伝送待機データを搬送するサブフレームにおいて、アップリンクまたはダウンリンク半永続スケジューリングデータの伝送を停止すれば、前記方法は、
前記ネットワーク側装置が、前記選択した時分割複信アップリンク・ダウンリンク構成により、半永続スケジューリング伝送方向と同一のサブフレームを選択して、前記半永続スケジューリングにより伝送しようとするデータに対し、動的スケジューリングを行うステップを備えることを特徴とする請求項１８または請求項１９に記載の通信処理方法。
【請求項２１】
前記ユーザー設備支持動的時分割複信アップリンク・ダウンリンク構成を確定し、前記ユーザー設備の動的時分割複信アップリンク・ダウンリンク構成を起動した後、前記方法は、
前記ネットワーク側装置が、前記ユーザー設備に対応するアップリンク/ダウンリンク半永続スケジューリングリソースを解放するステップを備えることを特徴とする請求項１２に記載の通信処理方法。
【請求項２２】
前記ユーザー設備の動的時分割複信アップリンク・ダウンリンク構成が利用できなくなった後、前記方法は、
半永続スケジューリングスケジューリングで、前記ユーザー設備がアップリンク/ダウンリンク半永続スケジューリングデータの伝送を行うステップを備えることを特徴とする請求項２１に記載の通信処理方法。
【請求項２３】
前記方法は、
前記ネットワーク側装置が、伝送待機データを搬送するサブフレームの事前確定した伝送方向を取得するステップと、
前記ネットワーク側装置が、事前確定した伝送方向と同一の時分割複信アップリンク・ダウンリンク構成を選択し、選択した時分割複信アップリンク・ダウンリンク構成が、前記時分割複信アップリンク・ダウンリンク指示が指示した時分割複信アップリンク・ダウンリンク構成であるステップとを備えることを特徴とする請求項１２に記載の通信処理方法。
【請求項２４】
前記方法は、
前記ネットワーク側装置が、伝送方向が固定されるサブフレームを確定するステップと、
前記ネットワーク側装置が、前記伝送方向が固定されるサブフレームにおいて、アップリンク・ダウンリンク半永続スケジューリングの設定、アップリンク制御チャネルリソースの設定、ＰＲＡＣＨリソースの設定、及び/またはＳＲＳリソースの設定を行うステップとを備えることを特徴とする請求項１２に記載の通信処理方法。
【請求項２５】
伝送時間間隔バンドル伝送の場合、前記指示した時分割複信アップリンク・ダウンリンク構成は、時分割複信アップリンク・ダウンリンク構成０、または１、または６であることを特徴とする請求項１２ないし請求項１９、請求項２１ないし請求項２３のいずれに記載の通信処理方法。
【請求項２６】
ユーザー設備であって、
前記ユーザー設備は、
ネットワーク側装置に能力指示情報を報告し、前記能力指示情報は、動的時分割複信アップリンク・ダウンリンク構成をサポートするかを示す能力報告モジュールと、
動的時分割複信アップリンク・ダウンリンク構成をサポートする場合、時分割複信アップリンク・ダウンリンク構成指示を受信すれば、指示した時分割複信アップリンク・ダウンリンク構成及び現在利用する時分割複信アップリンク・ダウンリンク構成から１セットを選択し、選択した時分割複信アップリンク・ダウンリンク構成に基づいて、各サブフレームの伝送方向を確定するサブフレーム伝送方向確定モジュールとを備えることを特徴とするユーザー設備。
【請求項２７】
前記サブフレーム伝送方向確定モジュールは、
指示した時分割複信アップリンク・ダウンリンク構成及び現在利用する時分割複信アップリンク・ダウンリンク構成から１セットを選択する場合、前記指示した時分割複信アップリンク・ダウンリンク構成を選択し、
時分割複信アップリンク・ダウンリンク構成指示を受信した後、前記指示した時分割複信アップリンク・ダウンリンク構成で、ユーザー設備に格納した時分割複信アップリンク・ダウンリンク構成を替え、または時分割複信アップリンク・ダウンリンク構成指示を受信した後、ユーザー設備に格納した、前記時分割複信アップリンク・ダウンリンク構成指示の構成仕様と同様な時分割複信アップリンク・ダウンリンク構成をサーチし、前記指示した時分割複信アップリンク・ダウンリンク構成で、前記格納した時分割複信アップリンク・ダウンリンク構成を替えることを特徴とする請求項２６に記載のユーザー設備。
【請求項２８】
前記サブフレーム伝送方向確定モジュールは、
指示した時分割複信アップリンク・ダウンリンク構成及び現在利用する時分割複信アップリンク・ダウンリンク構成から１セットを選択する場合、前記時分割複信アップリンク・ダウンリンク構成指示が動的時分割複信アップリンク・ダウンリンク構成指示であるかを判断し、「ＹＥＳ」であれば、前記指示した時分割複信アップリンク・ダウンリンク構成を選択し、「ＮＯ」であれば、現在利用する時分割複信アップリンク・ダウンリンク構成を選択し、
前記時分割複信アップリンク・ダウンリンク構成指示が動的時分割複信アップリンク・ダウンリンク構成指示であるかを判断した後、動的時分割複信アップリンク・ダウンリンク構成指示であれば、前記指示した時分割複信アップリンク・ダウンリンク構成で、ユーザー設備に格納した時分割複信アップリンク・ダウンリンク構成を替え、または、前記時分割複信アップリンク・ダウンリンク構成指示が動的時分割複信アップリンク・ダウンリンク構成指示であるかを判断した後、ユーザー設備に格納した、前記指示した時分割複信アップリンク・ダウンリンク構成の構成仕様と同一である時分割複信アップリンク・ダウンリンク構成をサーチし、前記指示した時分割複信アップリンク・ダウンリンク構成で、前記格納した時分割複信アップリンク・ダウンリンク構成を替えることを特徴とする請求項２６に記載のユーザー設備。
【請求項２９】
記サブフレーム伝送方向確定モジュールは、
静的または半静的時分割複信アップリンク・ダウンリンク構成指示及び動的時分割複信アップリンク・ダウンリンク構成指示を同時に受信すれば、指示した時分割複信アップリンク・ダウンリンク構成及び現在利用する時分割複信アップリンク・ダウンリンク構成から１セットを選択する場合、前記動的時分割複信アップリンク・ダウンリンク構成指示が指示した時分割複信アップリンク・ダウンリンク構成を選択し、
前記サブフレーム伝送方向確定モジュールは、
時分割複信アップリンク・ダウンリンク構成指示を受信した後、前記動的時分割複信アップリンク・ダウンリンク構成指示が指示した時分割複信アップリンク・ダウンリンク構成で、ユーザー設備に格納した時分割複信アップリンク・ダウンリンク構成を替え、または時分割複信アップリンク・ダウンリンク構成指示を受信した後、前記動的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替え、前記静的または半静的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替えることを特徴とする請求項２６に記載のユーザー設備。
【請求項３０】
前記サブフレーム伝送方向確定モジュールは、
静的または半静的時分割複信アップリンク・ダウンリンク構成指示及び動的時分割複信アップリンク・ダウンリンク構成指示を同時に受信すれば、指示した時分割複信アップリンク・ダウンリンク構成及び現在利用する時分割複信アップリンク・ダウンリンク構成から１セットを選択する場合、前記静的または半静的時分割複信アップリンク・ダウンリンク構成指示が指示した時分割複信アップリンク・ダウンリンク構成を選択し、
時分割複信アップリンク・ダウンリンク構成指示を受信した後、前記静的または半静的時分割複信アップリンク・ダウンリンク構成指示が指示した時分割複信アップリンク・ダウンリンク構成で、ユーザー設備に格納した時分割複信アップリンク・ダウンリンク構成を替え、または時分割複信アップリンク・ダウンリンク構成指示を受信した後、前記動的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替え、前記静的または半静的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替えることを特徴とする請求項２６に記載のユーザー設備。
【請求項３１】
前記ユーザー設備は、
事前確定した伝送待機データを搬送するサブフレームの伝送方向が、選択した時分割複信アップリンク・ダウンリンク構成により確定した伝送方向と異なれば、前記伝送待機データを搬送するサブフレームにおいて、前記伝送待機データの伝送を停止する第１データ処理モジュールを備えることを特徴とする請求項２６に記載のユーザー設備。
【請求項３２】
前記第１データ処理モジュールは、
前記伝送待機データを搬送するサブフレームが、アップリンクまたはダウンリンク半永続スケジューリングデータの伝送に用いれば、アップリンクまたはダウンリンク半永続スケジューリングリソースを解放し、
前記伝送待機データを搬送するサブフレームが、初期伝送または物理アップリンク共有チャネルの再伝送に用いれば、前記サブフレームにて伝送すべく物理層アップリンク共有チャネルに対応するハイブリッド自動再送要求の再伝送プロセスを解放し、
前記伝送待機データを搬送するサブフレームが、ＳＲＳ及び/または物理アップリンク制御チャネルの伝送に用いれば、無線リソース制御プロトコル層に、前記ＳＲＳ及び/または物理アップリンク制御チャネル構成を解放することを通知することを特徴とする請求項３１に記載のユーザー設備。
【請求項３３】
前記ユーザー設備、
前記伝送待機データを搬送するサブフレームにおいて、アップリンクまたはダウンリンク半永続スケジューリングデータの伝送を停止すれば、前記選択した時分割複信アップリンク・ダウンリンク構成が半永続スケジューリング伝送方向と同一であるサブフレームにおいて、前記半永続スケジューリングにより伝送しようとするデータ動的スケジューリングを受信する第２データ処理モジュールを備えることを特徴とする請求項３１または請求項３２に記載のユーザー設備。
【請求項３４】
前記ユーザー設備は、
動的時分割複信アップリンク・ダウンリンク構成をサポートし、動的時分割複信アップリンク・ダウンリンク構成を起動する場合、アップリンクまたはダウンリンク半永続スケジューリングリソースを解放する第３データ処理モジュールを備えることを特徴とする請求項２６に記載のユーザー設備。
【請求項３５】
ネットワーク側装置であって、
前記ネットワーク側装置は、
ユーザー設備が報告した能力指示情報に基づいて、動的時分割複信アップリンク・ダウンリンク構成をサポートするかを確定する構成方式サポート確定モジュールと、
ユーザー設備が動的時分割複信アップリンク・ダウンリンク構成をサポートする場合、前記ユーザー設備に時分割複信アップリンク・ダウンリンク構成指示を送信した後、指示した時分割複信アップリンク・ダウンリンク構成及び前記ユーザー設備が現在利用する時分割複信アップリンク・ダウンリンク構成から１セットを選択し、選択した時分割複信アップリンク・ダウンリンク構成に基づいて、前記ユーザー設備のために、各サブフレームの伝送方向を確定するサブフレーム伝送方向確定モジュールとを備えることを特徴とするネットワーク側装置。
【請求項３６】
前記サブフレーム伝送方向確定モジュールは、
指示した時分割複信アップリンク・ダウンリンク構成及び前記ユーザー設備が現在利用する時分割複信アップリンク・ダウンリンク構成から１セットを選択する場合、前記指示した時分割複信アップリンク・ダウンリンク構成を選択し、
時分割複信アップリンク・ダウンリンク構成指示を送信した後、前記指示した時分割複信アップリンク・ダウンリンク構成で、ネットワークが格納した前記ユーザー設備の時分割複信アップリンク・ダウンリンク構成を替え、または時分割複信アップリンク・ダウンリンク構成指示を送信した後、ネットワークが格納した前記時分割複信アップリンク・ダウンリンク構成指示の構成仕様と同様な前記ユーザー設備の時分割複信アップリンク・ダウンリンク構成をサーチし、前記指示した時分割複信アップリンク・ダウンリンク構成で、前記格納した前記ユーザー設備の時分割複信アップリンク・ダウンリンク構成を替えることを特徴とする請求項３５に記載のネットワーク側装置。
【請求項３７】
前記サブフレーム伝送方向確定モジュールは、
指示した時分割複信アップリンク・ダウンリンク構成及び前記ユーザー設備が現在利用する時分割複信アップリンク・ダウンリンク構成から１セットを選択する場合、前記時分割複信アップリンク・ダウンリンク構成指示が動的時分割複信アップリンク・ダウンリンク構成指示であるかを判断し、「ＹＥＳ」であれば、前記指示した時分割複信アップリンク・ダウンリンク構成を選択し、「ＮＯ」であれば、前記ユーザー設備が現在利用する時分割複信アップリンク・ダウンリンク構成を選択し、
前記時分割複信アップリンク・ダウンリンク構成指示が動的時分割複信アップリンク・ダウンリンク構成指示であるかを判断した後、動的時分割複信アップリンク・ダウンリンク構成指示であれば、前記指示した時分割複信アップリンク・ダウンリンク構成で、ネットワークが格納した前記ユーザー設備の時分割複信アップリンク・ダウンリンク構成を替え、または前記時分割複信アップリンク・ダウンリンク構成指示が動的時分割複信アップリンク・ダウンリンク構成指示であるかを判断した後、格納した、前記指示した時分割複信アップリンク・ダウンリンク構成の構成仕様と同一である前記ユーザー設備の時分割複信アップリンク・ダウンリンク構成をサーチし、前記指示した時分割複信アップリンク・ダウンリンク構成で、前記格納した前記ユーザー設備の時分割複信アップリンク・ダウンリンク構成を替えることを特徴とする請求項３５に記載のネットワーク側装置。
【請求項３８】
前記サブフレーム伝送方向確定モジュールは、
静的または半静的時分割複信アップリンク・ダウンリンク構成指示及び動的時分割複信アップリンク・ダウンリンク構成指示を同時に送信すれば、指示した時分割複信アップリンク・ダウンリンク構成及び前記ユーザー設備が現在利用する時分割複信アップリンク・ダウンリンク構成から１セットを選択する場合、前記動的時分割複信アップリンク・ダウンリンク構成指示が指示した時分割複信アップリンク・ダウンリンク構成を選択し、
時分割複信アップリンク・ダウンリンク構成指示を送信した後、前記動的時分割複信アップリンク・ダウンリンク構成指示が指示した時分割複信アップリンク・ダウンリンク構成で、ネットワークが格納した前記ユーザー設備の時分割複信アップリンク・ダウンリンク構成を替え、または時分割複信アップリンク・ダウンリンク構成指示を送信した後、前記動的時分割複信アップリンク・ダウンリンク指示が指示した時分割複信アップリンク・ダウンリンク構成で、ネットワークが前記ユーザー設備に格納した、同一な構成仕様を採用した時分割複信アップリンク・ダウンリンク構成を替え、前記静的または半静的時分割複信アップリンク・ダウンリンク指示が指示した時分割複信アップリンク・ダウンリンク構成で、ネットワークが前記ユーザー設備格納した同一な構成仕様を採用する時分割複信アップリンク・ダウンリンク構成を替えることを特徴とする請求項３５に記載のネットワーク側装置。
【請求項３９】
前記サブフレーム伝送方向確定モジュールは、
静的または半静的時分割複信アップリンク・ダウンリンク構成指示及び動的時分割複信アップリンク・ダウンリンク構成指示を同時に送信すれば、指示した時分割複信アップリンク・ダウンリンク構成及び前記ユーザー設備が現在利用する時分割複信アップリンク・ダウンリンク構成から１セットを選択する場合、前記静的または半静的時分割複信アップリンク・ダウンリンク構成指示が指示した時分割複信アップリンク・ダウンリンク構成を選択し、
時分割複信アップリンク・ダウンリンク構成指示を送信した後、前記静的または半静的時分割複信アップリンク・ダウンリンク構成指示が指示した時分割複信アップリンク・ダウンリンク構成で、ネットワークが格納した前記ユーザー設備の時分割複信アップリンク・ダウンリンク構成を替え、または時分割複信アップリンク・ダウンリンク構成指示を送信した後、前記動的時分割複信アップリンク・ダウンリンク指示が指示した時分割複信アップリンク・ダウンリンク構成で、ネットワークが前記ユーザー設備に格納した、同一な構成仕様を採用した時分割複信アップリンク・ダウンリンク構成を替え、前記静的または半静的時分割複信アップリンク・ダウンリンク指示が指示した時分割複信アップリンク・ダウンリンク構成で、ネットワークが前記ユーザー設備格納した同一な構成仕様を採用する時分割複信アップリンク・ダウンリンク構成を替えることを特徴とする請求項３５に記載のネットワーク側装置。
【請求項４０】
前記サブフレーム伝送方向確定モジュールは、
時分割複信アップリンク・ダウンリンク構成指示を送信した後、指示した時分割複信アップリンク・ダウンリンク構成が動的時分割複信アップリンク・ダウンリンク構成であるかを判断し、
「ＹＥＳ」であれば、現在利用する時分割複信アップリンク・ダウンリンク構成に基づいて、前記ユーザー設備のために、各サブフレームの伝送方向を確定し、
「ＮＯ」であれば、前記指示した時分割複信アップリンク・ダウンリンク構成に基づいて、前記ユーザー設備のために、各サブフレームの伝送方向を確定し、前記指示した時分割複信アップリンク・ダウンリンク構成で、現在利用する時分割複信アップリンク・ダウンリンク構成を替えることを特徴とする請求項３５に記載のネットワーク側装置。
【請求項４１】
前記ネットワーク側装置は、
前記ユーザー設備のために、事前に確定した伝送待機データを搬送するサブフレームの伝送方向が、選択した時分割複信アップリンク・ダウンリンク構成に基づいて前記ユーザー設備のために確定した伝送方向が異なれば、前記伝送待機データを搬送するサブフレームにおいて、伝送待機データの伝送を停止する第４データ処理モジュールを備えることを特徴とする請求項３５に記載のネットワーク側装置。
【請求項４２】
前記第４データ処理モジュールは、
前記伝送待機データを搬送するサブフレームが、アップリンクまたはダウンリンク半永続スケジューリングデータの伝送に用いれば、アップリンクまたはダウンリンク半永続スケジューリングリソースを解放し、
前記伝送待機データを搬送するサブフレームが、初期伝送または物理アップリンク共有チャネルの再伝送に用いれば、前記サブフレームにて伝送すべく物理層アップリンク共有チャネルに対応するハイブリッド自動再送要求の再伝送プロセスを解放し、
前記伝送待機データを搬送するサブフレームが、ＳＲＳ及び/または物理アップリンク制御チャネルの伝送に用いれば、無線リソース制御プロトコル層に、前記ＳＲＳ及び/または物理アップリンク制御チャネル構成を解放することを通知することを特徴とする請求項４１に記載のネットワーク側装置。
【請求項４３】
前記ネットワーク側装置は、
前記伝送待機データを搬送するサブフレームにおいて、アップリンクまたはダウンリンク半永続スケジューリングデータの伝送を停止すれば、前記選択した時分割複信アップリンク・ダウンリンク構成により、半永続スケジューリング伝送方向と同一のサブフレームを選択し、前記半永続スケジューリング要伝送のデータに対し、動的スケジューリングを行う第５データ処理モジュールを備えることを特徴とする請求項３５に記載のネットワーク側装置。
【請求項４４】
前記ネットワーク側装置は、
前記ユーザー設備支持動的時分割複信アップリンク・ダウンリンク構成を確定し、前記ユーザー設備の動的時分割複信アップリンク・ダウンリンク構成を起動する場合、アップリンク/ダウンリンク半永続スケジューリングリソースを解放する第６データ処理モジュールを備えることを特徴とする請求項３５に記載のネットワーク側装置。
【請求項４５】
前記ネットワーク側装置は、伝送待機データを搬送するサブフレームの事前確定した伝送方向を取得し、事前確定した伝送方向と同一の時分割複信アップリンク・ダウンリンク構成を選択し、選択した時分割複信アップリンク・ダウンリンク構成は前記時分割複信アップリンク・ダウンリンク指示が指示した時分割複信アップリンク・ダウンリンク構成である第７データ処理モジュールを備えることを特徴とする請求項３５に記載のネットワーク側装置。
【請求項４６】
前記ネットワーク側装置は、伝送方向が固定されるサブフレームを確定し、前記伝送方向が固定されるサブフレームにおいて、アップリンク・ダウンリンク半永続スケジューリング配置、アップリンク制御チャネルリソースの設定、ＰＲＡＣＨリソースの設定、及び/またはＳＲＳリソースの設定を行う第８データ処理モジュールを備えることを特徴とする請求項３５に記載のネットワーク側装置。
【請求項４７】
ユーザー設備であって、
前記ユーザー設備は、
送受信機を介して、ネットワーク側装置に能力指示情報を報告し、能力指示情報が、動的時分割複信アップリンク・ダウンリンク構成をサポートするかを示し、動的時分割複信アップリンク・ダウンリンク構成をサポートする場合、時分割複信アップリンク・ダウンリンク構成指示を受信すれば、指示した時分割複信アップリンク・ダウンリンク構成及び現在利用する時分割複信アップリンク・ダウンリンク構成から１セットを選択し、選択した時分割複信アップリンク・ダウンリンク構成に基づいて、各サブフレームの伝送方向を確定するプロセッサと、
プロセッサの制御によりデータを送受信する送受信機とを備えることを特徴とするユーザー設備。
【請求項４８】
前記プロセッサは、
指示した時分割複信アップリンク・ダウンリンク構成及び現在利用する時分割複信アップリンク・ダウンリンク構成から１セットを選択する場合、前記指示した時分割複信アップリンク・ダウンリンク構成を選択し、
時分割複信アップリンク・ダウンリンク構成指示を受信した後、前記指示した時分割複信アップリンク・ダウンリンク構成で、ユーザー設備に格納した時分割複信アップリンク・ダウンリンク構成を替え、または時分割複信アップリンク・ダウンリンク構成指示を受信した後、ユーザー設備に格納した、前記時分割複信アップリンク・ダウンリンク構成が指示した構成仕様と同様な時分割複信アップリンク・ダウンリンク構成をサーチし、前記指示した時分割複信アップリンク・ダウンリンク構成で、前記格納した時分割複信アップリンク・ダウンリンク構成を替えることを特徴とする請求項４７に記載のユーザー設備。
【請求項４９】
前記プロセッサは、
指示した時分割複信アップリンク・ダウンリンク構成及び現在利用する時分割複信アップリンク・ダウンリンク構成から１セットを選択する場合、前記時分割複信アップリンク・ダウンリンク構成指示が動的時分割複信アップリンク・ダウンリンク構成指示であるかを判断し、「ＹＥＳ」であれば、前記指示した時分割複信アップリンク・ダウンリンク構成を選択し、「ＮＯ」であれば、現在利用する時分割複信アップリンク・ダウンリンク構成を選択し、
前記時分割複信アップリンク・ダウンリンク構成指示が動的時分割複信アップリンク・ダウンリンク構成指示であるかを判断した後、動的時分割複信アップリンク・ダウンリンク構成指示であれば、前記指示した時分割複信アップリンク・ダウンリンク構成で、ユーザー設備に格納した時分割複信アップリンク・ダウンリンク構成を替え、または、前記時分割複信アップリンク・ダウンリンク構成指示が動的時分割複信アップリンク・ダウンリンク構成指示であるかを判断した後、ユーザー設備に格納した、前記指示した時分割複信アップリンク・ダウンリンク構成の構成仕様と同一である時分割複信アップリンク・ダウンリンク構成をサーチし、前記指示した時分割複信アップリンク・ダウンリンク構成で、前記格納した時分割複信アップリンク・ダウンリンク構成を替えることを特徴とする請求項４７に記載のユーザー設備。
【請求項５０】
前記プロセッサは、
静的または半静的時分割複信アップリンク・ダウンリンク構成指示及び動的時分割複信アップリンク・ダウンリンク構成指示を同時に受信すれば、指示した時分割複信アップリンク・ダウンリンク構成及び現在利用する時分割複信アップリンク・ダウンリンク構成から１セットを選択する場合、前記動的時分割複信アップリンク・ダウンリンク構成指示が指示した時分割複信アップリンク・ダウンリンク構成を選択し、
時分割複信アップリンク・ダウンリンク構成指示を受信した後、前記動的時分割複信アップリンク・ダウンリンク構成指示が指示した時分割複信アップリンク・ダウンリンク構成で、ユーザー設備に格納した時分割複信アップリンク・ダウンリンク構成を替え、または時分割複信アップリンク・ダウンリンク構成指示を受信した後、前記動的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替え、前記静的または半静的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替えることを特徴とする請求項４７に記載のユーザー設備。
【請求項５１】
前記プロセッサは、
静的または半静的時分割複信アップリンク・ダウンリンク構成指示及び動的時分割複信アップリンク・ダウンリンク構成指示を同時に受信すれば、指示した時分割複信アップリンク・ダウンリンク構成及び現在利用する時分割複信アップリンク・ダウンリンク構成から１セットを選択する場合、前記静的または半静的時分割複信アップリンク・ダウンリンク構成指示が指示した時分割複信アップリンク・ダウンリンク構成を選択し、
時分割複信アップリンク・ダウンリンク構成指示を受信した後、前記静的または半静的時分割複信アップリンク・ダウンリンク構成指示が指示した時分割複信アップリンク・ダウンリンク構成で、ユーザー設備に格納した時分割複信アップリンク・ダウンリンク構成を替え、または時分割複信アップリンク・ダウンリンク構成指示を受信した後、前記動的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替え、前記静的または半静的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替えることを特徴とする請求項４７に記載のユーザー設備。
【請求項５２】
前記プロセッサは、
事前確定した伝送待機データを搬送するサブフレームの伝送方向は、選択した時分割複信アップリンク・ダウンリンク構成により確定した伝送方向と異なれば、前記伝送待機データを搬送するサブフレームにおいて、前記伝送待機データの伝送を停止することを特徴とする請求項４７に記載のユーザー設備。
【請求項５３】
前記プロセッサは、
前記伝送待機データを搬送するサブフレームが、アップリンクまたはダウンリンク半永続スケジューリングデータの伝送に用いれば、アップリンクまたはダウンリンク半永続スケジューリングリソースを解放し、
前記伝送待機データを搬送するサブフレームが、初期伝送または物理アップリンク共有チャネルの再伝送に用いれば、前記サブフレームにて伝送すべく物理層アップリンク共有チャネルに対応するハイブリッド自動再送要求の再伝送プロセスを解放し、
前記伝送待機データを搬送するサブフレームが、ＳＲＳ及び/または物理アップリンク制御チャネルの伝送に用いれば、無線リソース制御プロトコル層に、前記ＳＲＳ及び/または物理アップリンク制御チャネル構成を解放することを通知することを特徴とする請求項５２に記載のユーザー設備。
【請求項５４】
前記プロセッサは、
前記伝送待機データを搬送するサブフレームにおいて、アップリンクまたはダウンリンク半永続スケジューリングデータの伝送を停止すれば、前記選択した時分割複信アップリンク・ダウンリンク構成が半永続スケジューリング伝送方向と同一であるサブフレームにおいて、前記半永続スケジューリングにより伝送しようとするデータ動的スケジューリングを受信することを特徴とする請求項５２または請求項５３に記載のユーザー設備。
【請求項５５】
前記プロセッサは、
動的時分割複信アップリンク・ダウンリンク構成をサポートし、動的時分割複信アップリンク・ダウンリンク構成を起動する場合、アップリンクまたはダウンリンク半永続スケジューリングリソースを解放することを特徴とする請求項４７に記載のユーザー設備。
【請求項５６】
ネットワーク側装置であって、
前記ネットワーク側装置は、
ユーザー設備が報告した能力指示情報に基づいて、動的時分割複信アップリンク・ダウンリンク構成をサポートするかを確定し、ユーザー設備が動的時分割複信アップリンク・ダウンリンク構成をサポートする場合、送受信機を介して、向ユーザー設備時分割複信アップリンク・ダウンリンク構成指示を送信した後、指示した時分割複信アップリンク・ダウンリンク構成及びユーザー設備が現在利用する時分割複信アップリンク・ダウンリンク構成から１セットを選択し、選択した時分割複信アップリンク・ダウンリンク構成に基づいて、ユーザー設備のために、各サブフレームの伝送方向を確定するプロセッサと、
プロセッサの制御によりデータを送受信する送受信機とを備えることを特徴とするネットワーク側装置。
【請求項５７】
前記プロセッサは、
指示した時分割複信アップリンク・ダウンリンク構成及び前記ユーザー設備が現在利用する時分割複信アップリンク・ダウンリンク構成から１セットを選択する場合、前記指示した時分割複信アップリンク・ダウンリンク構成を選択し、
時分割複信アップリンク・ダウンリンク構成指示を送信した後、前記指示した時分割複信アップリンク・ダウンリンク構成で、ネットワークが格納した前記ユーザー設備の時分割複信アップリンク・ダウンリンク構成を替え、または時分割複信アップリンク・ダウンリンク構成指示を送信した後、ネットワークが格納した前記時分割複信アップリンク・ダウンリンク構成指示の構成仕様と同様な前記ユーザー設備の時分割複信アップリンク・ダウンリンク構成をサーチし、前記指示した時分割複信アップリンク・ダウンリンク構成で、前記格納した前記ユーザー設備の時分割複信アップリンク・ダウンリンク構成を替えることを特徴とする請求項５６に記載のネットワーク側装置。
【請求項５８】
前記プロセッサは、
指示した時分割複信アップリンク・ダウンリンク構成及び前記ユーザー設備が現在利用する時分割複信アップリンク・ダウンリンク構成から１セットを選択する場合、前記時分割複信アップリンク・ダウンリンク構成指示が動的時分割複信アップリンク・ダウンリンク構成指示であるかを判断し、「ＹＥＳ」であれば、前記指示した時分割複信アップリンク・ダウンリンク構成を選択し、「ＮＯ」であれば、前記ユーザー設備が現在利用する時分割複信アップリンク・ダウンリンク構成を選択し、
前記時分割複信アップリンク・ダウンリンク構成指示が動的時分割複信アップリンク・ダウンリンク構成指示であるかを判断した後、動的時分割複信アップリンク・ダウンリンク構成指示であれば、前記指示した時分割複信アップリンク・ダウンリンク構成で、ネットワークが格納した前記ユーザー設備の時分割複信アップリンク・ダウンリンク構成を替え、または前記時分割複信アップリンク・ダウンリンク構成指示が動的時分割複信アップリンク・ダウンリンク構成指示であるかを判断した後、格納した、前記指示した時分割複信アップリンク・ダウンリンク構成の構成仕様と同一である前記ユーザー設備の時分割複信アップリンク・ダウンリンク構成をサーチし、前記指示した時分割複信アップリンク・ダウンリンク構成で、前記格納した前記ユーザー設備の時分割複信アップリンク・ダウンリンク構成を替えることを特徴とする請求項５６に記載のネットワーク側装置。
【請求項５９】
前記プロセッサは、
静的または半静的時分割複信アップリンク・ダウンリンク構成指示及び動的時分割複信アップリンク・ダウンリンク構成指示を同時に送信すれば、指示した時分割複信アップリンク・ダウンリンク構成及び前記ユーザー設備が現在利用する時分割複信アップリンク・ダウンリンク構成から１セットを選択する場合、前記動的時分割複信アップリンク・ダウンリンク構成指示が指示した時分割複信アップリンク・ダウンリンク構成を選択し、
時分割複信アップリンク・ダウンリンク構成指示を送信した後、前記動的時分割複信アップリンク・ダウンリンク構成指示が指示した時分割複信アップリンク・ダウンリンク構成で、ネットワークが格納した前記ユーザー設備の時分割複信アップリンク・ダウンリンク構成を替え、または時分割複信アップリンク・ダウンリンク構成指示を送信した後、前記動的時分割複信アップリンク・ダウンリンク指示が指示した時分割複信アップリンク・ダウンリンク構成で、ネットワークが前記ユーザー設備に格納した、同一な構成仕様を採用した時分割複信アップリンク・ダウンリンク構成を替え、前記静的または半静的時分割複信アップリンク・ダウンリンク指示が指示した時分割複信アップリンク・ダウンリンク構成で、ネットワークが前記ユーザー設備格納した同一な構成仕様を採用する時分割複信アップリンク・ダウンリンク構成を替えることを特徴とする請求項５６に記載のネットワーク側装置。
【請求項６０】
前記プロセッサは、
静的または半静的時分割複信アップリンク・ダウンリンク構成指示及び動的時分割複信アップリンク・ダウンリンク構成指示を同時に送信すれば、指示した時分割複信アップリンク・ダウンリンク構成及び前記ユーザー設備が現在利用する時分割複信アップリンク・ダウンリンク構成から１セットを選択する場合、前記静的または半静的時分割複信アップリンク・ダウンリンク構成指示が指示した時分割複信アップリンク・ダウンリンク構成を選択し、
時分割複信アップリンク・ダウンリンク構成指示を送信した後、前記静的または半静的時分割複信アップリンク・ダウンリンク構成指示が指示した時分割複信アップリンク・ダウンリンク構成で、ネットワークが格納した前記ユーザー設備の時分割複信アップリンク・ダウンリンク構成を替え、または時分割複信アップリンク・ダウンリンク構成指示を送信した後、前記動的時分割複信アップリンク・ダウンリンク指示が指示した時分割複信アップリンク・ダウンリンク構成で、ネットワークが前記ユーザー設備に格納した、同一な構成仕様を採用した時分割複信アップリンク・ダウンリンク構成を替え，前記静的または半静的時分割複信アップリンク・ダウンリンク指示が指示した時分割複信アップリンク・ダウンリンク構成で、ネットワークが前記ユーザー設備格納した同一な構成仕様を採用する時分割複信アップリンク・ダウンリンク構成を替えることを特徴とする請求項５６に記載のネットワーク側装置。
【請求項６１】
前記プロセッサは、
時分割複信アップリンク・ダウンリンク構成指示を送信した後、指示した時分割複信アップリンク・ダウンリンク構成が動的時分割複信アップリンク・ダウンリンク構成であるかを判断し、
「ＹＥＳ」であれば、現在利用する時分割複信アップリンク・ダウンリンク構成に基づいて、前記ユーザー設備のために、各サブフレームの伝送方向を確定し、
「ＮＯ」であれば、前記指示した時分割複信アップリンク・ダウンリンク構成に基づいて、前記ユーザー設備のために、各サブフレームの伝送方向を確定し、前記指示した時分割複信アップリンク・ダウンリンク構成で、現在利用する時分割複信アップリンク・ダウンリンク構成を替えることを特徴とする請求項５６に記載のネットワーク側装置。
【請求項６２】
前記プロセッサは、
前記ユーザー設備のために、事前に確定した伝送待機データを搬送するサブフレームの伝送方向が、選択した時分割複信アップリンク・ダウンリンク構成に基づいて前記ユーザー設備のために確定した伝送方向が異なれば、前記伝送待機データを搬送するサブフレームにおいて、伝送待機データの伝送を停止することを特徴とする請求項５６に記載のネットワーク側装置。
【請求項６３】
前記プロセッサは、
前記伝送待機データを搬送するサブフレームが、アップリンクまたはダウンリンク半永続スケジューリングデータの伝送に用いれば、アップリンクまたはダウンリンク半永続スケジューリングリソースを解放し、
前記伝送待機データを搬送するサブフレームが、初期伝送または物理アップリンク共有チャネルの再伝送に用いれば、前記サブフレームにて伝送すべく物理層アップリンク共有チャネルに対応するハイブリッド自動再送要求の再伝送プロセスを解放し、
前記伝送待機データを搬送するサブフレームが、ＳＲＳ及び/または物理アップリンク制御チャネルの伝送に用いれば、無線リソース制御プロトコル層に、前記ＳＲＳ及び/または物理アップリンク制御チャネル構成を解放することを通知することを特徴とする請求項６２に記載のネットワーク側装置。
【請求項６４】
前記プロセッサは、
前記伝送待機データを搬送するサブフレームにおいて、アップリンクまたはダウンリンク半永続スケジューリングデータの伝送を停止すれば、前記選択した時分割複信アップリンク・ダウンリンク構成により、半永続スケジューリング伝送方向と同一のサブフレームを選択し、前記半永続スケジューリング要伝送のデータに対し、動的スケジューリングを行うことを特徴とする請求項５６に記載のネットワーク側装置。
【請求項６５】
前記プロセッサは、
前記ユーザー設備支持動的時分割複信アップリンク・ダウンリンク構成を確定し、前記ユーザー設備の動的時分割複信アップリンク・ダウンリンク構成を起動する場合、アップリンク/ダウンリンク半永続スケジューリングリソースを解放することを特徴とする請求項５６に記載のネットワーク側装置。
【請求項６６】
前記プロセッサは、
伝送待機データを搬送するサブフレームの事前確定した伝送方向を取得し、事前確定した伝送方向と同一の時分割複信アップリンク・ダウンリンク構成を選択し、選択した時分割複信アップリンク・ダウンリンク構成は、前記時分割複信アップリンク・ダウンリンク指示が指示した時分割複信アップリンク・ダウンリンク構成であることを特徴とする請求項５６に記載のネットワーク側装置。
【請求項６７】
前記プロセッサは、
伝送方向が固定されるサブフレームを確定し、前記伝送方向が固定されるサブフレームにおいて、アップリンク・ダウンリンク半永続スケジューリングの設定、アップリンク制御チャネルリソースの設定、ＰＲＡＣＨリソースの設定、及び/またはＳＲＳリソースの設定を行うことを特徴とする請求項５６に記載のネットワーク側装置。
【発明の詳細な説明】
【技術分野】
【０００１】
本出願は通信技術分野に関し、特に、通信処理方法及び装置に関する。
【背景技術】
【０００２】
本出願は、２０１３年０２月０５日に中国特許局に提出し、出願番号が２０１３１００４５９２２.Ｘであり、発明名称が「通信処理方法及び装置」との中国特許出願を基礎とする優先権を主張し、その開示の総てをここに取り込む。
【０００３】
ＴＤＤ（Ｔｉｍｅ ｄｉｖｉｓｉｏｎ ｄｕｐｌｅｘ，時分割複信）システムは、３ＧのＴＤ−ＳＣＤＭＡ（時分割複信符号分割多元接続）システム及び４ＧのＴＤ−LＴＥシステムを備える。
【０００４】
ＬＴＥ ＴＤＤシステムフレームの構造は、図１に示すように、無線フレームは、長が１０ｍｓであり、スペシャルサブフレーム及びノーマルサブフレーム２タイプの総計１０個のサブフレームを含み、各サブフレームが１ｍｓである。スペシャル・サブフレームは３個のスロット、即ち、ＤwＰＴＳ（Ｄｏｗｎｌｉｎｋ Ｐｉｌｏｔ Ｓｌｏｔ，ダウンリンク・パイロット・スロット）、ＧＰ (Ｇｕａｒｄ Ｐｅｒｉｏｄ，保護期間)及びＵｐＰＴＳ（Ｕｐｌｉｎｋ Ｐｉｌｏｔ Ｓｌｏｔ，アップリンク・パイロット・スロット）を含む。また、ノーマルサブフレームは、アップリンクサブフレームと、ダウンリンクサブフレームとに分けられ、それぞれは、アップリンク/ダウンリンク制御シグナリング及びトラフィック・データ等を伝送する。
【０００５】
ＬＴＥ ＴＤＤシステムでは、表１に示すような７種のＴＤＤ ＵＬ（アップリンク）/ ＤＬ（ダウンリンク）構成を定義した。これらの７種のＴＤＤ ＵＬ/ＤＬ構成のうち、サブフレーム#０、サブフレーム#５及びスペシャルサブフレームうちのＤｗＰＴＳスロットは、常にダウンリンク伝送にもちいられ、サブフレーム#２及びスペシャルサブフレームうちのＵｐＰＴＳスロットは、常にアップリンク伝送に用いられ、他のサブフレームは、実際の要求に応じるように、アップリンク伝送またはダウンリンク伝送に用いられる。
【０００６】
【表１】
2016510560.tif 000003
【０００７】
表１において、Ｄはダウンリンクサブフレームを示し、Ｓはスペシャルサブフレームを示し、Ｕはアップリンクサブフレームを示す。
【０００８】
ＬＴＥ Ｒ１１前のＴＤＤシステムは、通常静的/半静的（Ｓｔａｔｉｃ  ａｎｄ  ｓｅｍｉ−ｓｔａｔｉｃ）ＴＤＤアップリンク・ダウンリンク構成を採用する。静的ＴＤＤ アップリンク・ダウンリンク構成は、一般的に、ネットワーク企画の際に、セルタイプ及び大体の通信量の割合に基づいて、アップリンク・ダウンリンク割合を決め、且つ変えない。半静的ＴＤＤアップリンク・ダウンリンク構成の場合、システムメッセージのアップデートにより、ＴＤＤ構成の変更を行なう。一般的に、アップデート周期は、何日、または、何日より長い時間をかかる。半静的ＴＤＤ構成のアップデートとは、ＵＥ（Ｕｓｅｒ Ｅｑｕｉｐｍｅｎｔ，ユーザー設備、端末とも称される）は、まずページングメッセージを読み出し、もしページングメッセージが、システムメッセージがアップデートされたことを示す場合、ＵＥは、次のシステムメッセージ修正周期において、ＳＩＢ１の従来ＴＤＤ構成ＩＥ（ＴＤＤ−ｃｏｎｆｉｇ）を読み出して、アップデート後のＴＤＤ構成を取得することを指す。
【０００９】
ＬＴＥ Ｒ１１には、ｅＩＭＴＡ（Ｅｎｈａｎｃｅｍｅｎｔ ｔｏ ＬＴＥ ＴＤＤ ｆｏｒ ＤＬ−ＵＬ Ｉｎｔｅｒｆｅｒｅｎｃｅ Ｍａｎａｇｅｍｅｎｔ ａｎｄ Ｔｒａｆｆｉｃ Ａｄａｐｔａｔｉｏｎ，ＬＴＥ ＴＤＤ ＵＬ/ＤＬ干渉管理及びトラフィックアダプティブ進化）メカニズムが導入された。当該メカニズムは、動的ＴＤＤ ＵＬ/ＤＬ構成をサポートする。動的ＴＤＤ ＵＬ/ＤＬ構成変更は、セル変更またはＵＥ変更に基づく変更であってもよい。
【００１０】
動的ＴＤＤ ＵＬ/ＤＬ構成により、ユーザー設備のＴＤＤ ＵＬ/ＤＬ構成も変更する必要があれば、基地局は、ＵＥに通知する必要がある。動的ＴＤＤ ＵＬ/ＤＬ構成の通知は、以下のような方法がある。
【００１１】
方法１：ブロードキャスト通知
【００１２】
方法１は以下の３種類有する。
【００１３】
方法１.１:ＭＩＢ（Ｍａｓｔｅｒ Ｉｎｆｏｒｍａｔｉｏｎ Ｂｌｏｃｋ，マスター情報ブロック）には、ＴＤＤ ＵＬ/ＤＬ構成通知ＩＥ（Ｉｎｆｏｒｍａｔｉｏｎ Ｅｌｅｍｅｎｔ，情報エレメント）が導入され、ＭＩＢにより、ＵＥに、アップデート後のＴＤＤ ＵＬ/ＤＬ構成を通知し、ＵＥが何ｍｓ内、少なくともＭＩＢを１回読むように強制し、当該何ｍｓは１個のＴＤＤ ＵＬ/ＤＬ構成アップデート周期になることができる。
【００１４】
方法１.２：Ｒ8システムメッセージアップデート過程を再利用し、ＳＩＢ１またはＭＩＢまたは他のＳＩＢにより、ＵＥに、アップデート後のＴＤＤ ＵＬ/ＤＬ構成を通知する。
【００１５】
方法１.３：Ｒ１０ ＥＴWＳ（Ｅａｒｔｈｑｕａｋｅ ａｎｄ Ｔｓｕｎａｍｉ Wａｒｎｉｎｇ Ｓｙｓｔｅｍ，地震及び津波地震警報システム）通知過程を再利用し、まずは、Ｐａｇｉｎｇ（ページング）により、ＴＤＤ ＵＬ/ＤＬ構が変更されたことを通知し、そして、ＳＩＢ１の新規ＴＤＤ ＵＬ/ＤＬ構成指示を読み出すことにょり、アップデート後のＴＤＤ ＵＬ/ＤＬ構成を取得する。
【００１６】
方法２：ＲＲＣ（Ｒａｄｉｏ Ｒｅｓｏｕｒｃｅ Ｃｏｎｔｒｏｌ，無線リソース制御）シグナリング、即ち、ＲＲＣシグナリングにより、ＵＥに、変更後のＴＤＤ ＵＬ/ＤＬ構成通知する。
【００１７】
方法３：ＭＡＣ（Ｍｅｄｉａ Ａｃｃｅｓｓ Ｃｏｎｔｒｏｌ，媒体アクセス制御）シグナリング、即ち、ＭＡＣ ＣＥ（Ｃｏｎｔｒｏｌ Ｅｌｅｍｅｎｔ，制御エレメント）により、ＵＥに、変更後のＴＤＤ ＵＬ/ＤＬ構成を通知する。
【００１８】
方法４：ＰＤＣＣＨ（Ｐｈｙｓｉｃａｌ Ｄｏｗｎｌｉｎｋ Ｃｏｎｔｒｏｌ Ｃｈａｎｎｅｌ，物理ダウンリンク制御チャネル）、即ち、ＰＤＣＣＨにより、ＵＥに、変更後のＴＤＤ ＵＬ/ＤＬ構成を通知する。
【００１９】
上記方法において、サポートするＴＤＤ ＵＬ/ＤＬ最小の再構成間隔は、表２に示す。
【００２０】
【表２】
2016510560.tif 000004
【００２１】
上記の通知方法は、セルに基づいくＴＤＤ ＵＬ/ＤＬ構成変更に適用し、ＵＥに基づい区ＴＤＤ ＵＬ/ＤＬ構成変更通知について、方法１以外の他の方法を利用すべきである。
【発明の概要】
【発明が解決しようとする課題】
【００２２】
ＬＴＥ Ｒ１１動的ＴＤＤアップリンク・ダウンリンク構成の導入に従い、ユーザー設備は、同一タイミング、またはあいついで２セットのＴＤＤアップリンク・ダウンリンク構成を受信する。この場合、従来の技術は、ユーザー設備のために、各サブフレームの伝送方向を確定できない。
【００２３】
本出願は、通信処理方法及び装置を提供し、ユーザー設備のためにサブフレーム伝送方向を確定問題点を解決することを目的とする。
【課題を解決するための手段】
【００２４】
本発明に係る通信処理方法は、
ユーザー設備がネットワーク側装置に能力指示情報を報告し、前記能力指示情報は、動的時分割複信アップリンク・ダウンリンク構成をサポートするかを示すステップと、
前記ユーザー設備が動的時分割複信アップリンク・ダウンリンク構成をサポートすれば、時分割複信アップリンク・ダウンリンク構成指示を受信すれば、指示した時分割複信アップリンク・ダウンリンク構成及び現在利用する時分割複信アップリンク・ダウンリンク構成から１セットを選択し、選択した時分割複信アップリンク・ダウンリンク構成に基づいて、各サブフレームの伝送方向を確定するステップとを備える。
【００２５】
本発明に係る通信処理方法は、
ネットワーク側装置が、ユーザー設備から報告した能力指示情報に基づいて、動的時分割複信アップリンク・ダウンリンク構成をサポートするかを確定するステップと、
前記ユーザー設備が動的時分割複信アップリンク・ダウンリンク構成をサポートすれば、前記ネットワーク側装置が前記ユーザー設備に時分割複信アップリンク・ダウンリンク構成指示を送信した後、指示した時分割複信アップリンク・ダウンリンク構成及び前記ユーザー設備が現在利用する時分割複信アップリンク・ダウンリンク構成から１セットを選択し、選択した時分割複信アップリンク・ダウンリンク構成に基づいて、前記ユーザー設備のために、各サブフレームの伝送方向を確定するステップとを備える。
【００２６】
本発明に係るユーザー設備は、
ネットワーク側装置に能力指示情報を報告し、前記能力指示情報は、動的時分割複信アップリンク・ダウンリンク構成をサポートするかを示す能力報告モジュールと、
動的時分割複信アップリンク・ダウンリンク構成をサポートする場合、時分割複信アップリンク・ダウンリンク構成指示を受信すれば、指示した時分割複信アップリンク・ダウンリンク構成及び現在利用する時分割複信アップリンク・ダウンリンク構成から１セットを選択し、選択した時分割複信アップリンク・ダウンリンク構成に基づいて、各サブフレームの伝送方向を確定するサブフレーム伝送方向確定モジュールとを備える。
【００２７】
本発明に係るネットワーク側装置は、
ユーザー設備が報告した能力指示情報に基づいて、動的時分割複信アップリンク・ダウンリンク構成をサポートするかを確定する構成方式サポート確定モジュールと、
ユーザー設備が動的時分割複信アップリンク・ダウンリンク構成をサポートする場合、前記ユーザー設備に時分割複信アップリンク・ダウンリンク構成指示を送信した後、指示した時分割複信アップリンク・ダウンリンク構成及び前記ユーザー設備が現在利用する時分割複信アップリンク・ダウンリンク構成から１セットを選択し、選択した時分割複信アップリンク・ダウンリンク構成に基づいて、前記ユーザー設備のために、各サブフレームの伝送方向を確定するサブフレーム伝送方向確定モジュールとを備える。
【発明の効果】
【００２８】
本出願に係る実施例によれば、動的時分割複信アップリンク・ダウンリンク構成をサポートするユーザー設備に対し、時分割複信アップリンク・ダウンリンク構成指示を受信する場合、指示した時分割複信アップリンク・ダウンリンク構成及び現在利用する時分割複信アップリンク・ダウンリンク構成から、１セットの時分割複信アップリンク・ダウンリンク構成を選択して、各サブフレームの伝送方向を確定することにより、当該シナリオの従来方法でサブフレーム伝送方向を確定できない問題点を解決した。
【図面の簡単な説明】
【００２９】
【図１】図１は、背景技術のＬＴＥ ＴＤＤシステムフレームの構造図である。
【図２】図２は本出願に係る実施例のユーザー設備側通信処理方法フローチャートである。
【図３】図３は本出願に係る実施例のユーザー設備側の第１ＴＤＤアップリンク・ダウンリンク構成の選択及び格納フローチャートである。
【図４】図４は本出願に係る実施例のユーザー設備側第２ＴＤＤアップリンク・ダウンリンク構成の選択及び格納フローチャートである。
【図５】図５は本出願に係る実施例のネットワーク側装置方法フローチャートである。
【図６】図６は本出願に係る実施例のネットワーク側第一ＴＤＤアップリンク・ダウンリンク構成の選択及び格納フローチャートである。
【図７】図７は本出願に係る実施例のネットワーク側第二ＴＤＤアップリンク・ダウンリンク構成の選択及び格納フローチャートである。
【図８】図8は本出願に係る実施例のユーザー設備の構造図である。
【図９】図９は本出願に係る実施例のネットワーク側装置の構造図である。
【図１０】図１０は本出願に係る実施例の他のユーザー設備の構造図である。
【図１１】図１１は本出願に係る実施例の他のネットワーク側装置の構造図である。
【発明を実施するための形態】
【００３０】
本出願に係る実施例において、ＵＥはネットワーク側装置に能力指示情報を報告し、ネットワーク側装置が動的ＴＤＤアップリンク・ダウンリンク構成をサポートするかを指示する。サポートすれば、ＴＤＤアップリンク・ダウンリンク構成指示を受信すると、指示したＴＤＤアップリンク・ダウンリンク構成及び現在利用するＴＤＤアップリンク・ダウンリンク構成から１セットを選択し、選択したＴＤＤアップリンク・ダウンリンク構成に基づいてい、各サブフレームの伝送方向を確定する。ネットワーク側装置は、ＵＥに報告した能力指示情報確に基づいて、動的ＴＤＤアップリンク・ダウンリンク構成をサポートするかを確定し、ＵＥが動的ＴＤＤアップリンク・ダウンリンク構成をサポートする場合、ＴＤＤアップリンク・ダウンリンク構成指示を送信すれば、指示したＴＤＤアップリンク・ダウンリンク構及び当該ＵＥが現在利用するＴＤＤアップリンク・ダウンリンク構成から１セットを選択し、選択したＴＤＤアップリンク・ダウンリンク構成に基づいて、当該ＵＥのために、各サブフレームの伝送方向を確定する。本出願に係る実施例の技術案は、従来技術において、動的ＴＤＤアップリンク・ダウンリンク構成をサポートするユーザー設備がＴＤＤアップリンク・ダウンリンク構成指示を受信する場合、サブフレーム伝送方向を確定できない問題点を解決した。
【００３１】
以下、図面を参照しながら、本出願に係る実施例の技術案を詳細に説明する。
【００３２】
本出願に係る実施例が提供するユーザー設備側の通信処理方法は、図２に示すように、ステップ１００と、ステップ１１０とを備える。  
【００３３】
ステップ１００：ＵＥはネットワーク側装置に能力指示情報を報告し、当該能力指示情報は、動的ＴＤＤアップリンク・ダウンリンク構成をサポートするかを指示する。
【００３４】
ステップ１１０：ＵＥが動的ＴＤＤアップリンク・ダウンリンク構成をサポートする場合、ＴＤＤアップリンク・ダウンリンク構成指示を受信し、指示したＴＤＤアップリンク・ダウンリンク構成及び現在利用するＴＤＤアップリンク・ダウンリンク構成から１セットを選択し、選択したＴＤＤアップリンク・ダウンリンク構成に基づいてい、各サブフレームの伝送方向を確定する。
【００３５】
ここで、ＵＥが動的ＴＤＤアップリンク・ダウンリンク構成をサポートしない場合、従来の実施方法で処理するため、その以上説明しない。
【００３６】
本出願に係る実施例において、ＴＤＤアップリンク・ダウンリンク構成を選択する実施方法は、いくつがあり、以下で例を挙げる。
【００３７】
選択方法１
ＵＥは、上記ＴＤＤアップリンク・ダウンリンク構成が指示したＴＤＤアップリンク・ダウンリンク構成を選択する。
【００３８】
即ち、当該ＴＤＤアップリンク・ダウンリンク構成指示が、動的ＴＤＤアップリンク・ダウンリンク構成指示であるか、静的または半静的ＴＤＤアップリンク・ダウンリンク構成指示であるかに関係ず、当該ＴＤＤアップリンク・ダウンリンク構成指示が指示したアップリンク・ダウンリンク構成を選択する。
【００３９】
これに応じて、ＵＥは、１セットのＴＤＤアップリンク・ダウンリンク構成を格納することができ、ＴＤＤアップリンク・ダウンリンク構成指示を受信した後、指示したＴＤＤアップリンク・ダウンリンク構成で、格納したＴＤＤアップリンク・ダウンリンク構成を替える。ここで、格納したＴＤＤアップリンク・ダウンリンク構成は、上記現在利用するＴＤＤアップリンク・ダウンリンク構成である。
【００４０】
即ち、在ＴＤＤアップリンク・ダウンリンク構成指示を受信した後、指示したＴＤＤアップリンク・ダウンリンク構成を選択して、格納したＴＤＤアップリンク・ダウンリンク構成を替える。
【００４１】
ＵＥは２セットのＴＤＤアップリンク・ダウンリンク構成を格納することもできる。そのうちの１セットは、静的または半静的設定されたＴＤＤアップリンク・ダウンリンク構成であり、他の１セットは動的配置的ＴＤＤアップリンク・ダウンリンク構成である。そして、ＵＥは、ＵＥが格納した、指示したＴＤＤアップリンク・ダウンリンク構成の構成と同一であるＴＤＤアップリンク・ダウンリンク構成をサーチし、指示したＴＤＤアップリンク・ダウンリンク構成で、当該格納した時分割複信アップリンク・ダウンリンク構成を替える。ここで、上記ＵＥが現在利用するＴＤＤアップリンク・ダウンリンク構成は、格納したＴＤＤアップリンク・ダウンリンク構成中の１セットである。
【００４２】
即ち、ＴＤＤアップリンク・ダウンリンク構成指示を受信した後、指示したＴＤＤアップリンク・ダウンリンク構成を選択して、格納した構成と同一のＴＤＤアップリンク・ダウンリンク構成を替える。
【００４３】
本出願に係る実施例において、ＴＤＤアップリンク・ダウンリンク構成の構成方法は、静的または半静的の設定であってもよいし、動的の設定であってもよい。ＴＤＤアップリンク・ダウンリンク構成指示が指示したＴＤＤアップリンク・ダウンリンク構成に対し、当該指示した通知方式で構成仕様を確定することができる。例えば、従来ＬＴＥ Ｒ８標準により規定したシステムメッセージを介して送信したＴＤＤアップリンク・ダウンリンク構成指示が指示したＴＤＤアップリンク・ダウンリンク構成は静的または半静的の設定である。合意した動的ＴＤＤアップリンク・ダウンリンク構成通知方式で送信ＴＤＤアップリンク・ダウンリンク構成指示を送信し、指示したＴＤＤアップリンク・ダウンリンク構成は、動的の設定である。格納したＴＤＤアップリンク・ダウンリンク構成に対し、格納した構成識別子と関連付けて、その構成仕様を確定することができる。
【００４４】
選択方法２
ＵＥは、ＴＤＤアップリンク・ダウンリンク構成指示が動的ＴＤＤアップリンク・ダウンリンク構成指示であるかを判断し、「ＹＥＳ」であれば、指示したＴＤＤアップリンク・ダウンリンク構成を選択し、「ＮＯ」であれば、現在利用するＴＤＤアップリンク・ダウンリンク構成を選択する。
【００４５】
これに応じて、ＵＥは、１セットのＴＤＤアップリンク・ダウンリンク構成を格納することができ、ＴＤＤアップリンク・ダウンリンク構成指示が動的ＴＤＤアップリンク・ダウンリンク構成指示であるかを判断した後、且つ、動的ＴＤＤアップリンク・ダウンリンク構成指示であると確定した後、指示したＴＤＤアップリンク・ダウンリンク構成で、格納したＴＤＤアップリンク・ダウンリンク構成を替える。ここで、ＵＥは、１セットのＴＤＤアップリンク・ダウンリンク構成のみを格納し、格納したＴＤＤアップリンク・ダウンリンク構成は、現在利用するＴＤＤアップリンク・ダウンリンク構成である。
【００４６】
対応のＴＤＤアップリンク・ダウンリンク構成の選択及び格納方法は、図３に示すように、ステップ２００と、ステップ２１０と、ステップ２２０と、ステップ２３０とを備える。
【００４７】
ステップ２００：動的ＴＤＤアップリンク・ダウンリンク構成をサポートするＵＥは、ＴＤＤアップリンク・ダウンリンク構成指示を受信する。
【００４８】
ステップ２１０：当該ＵＥは、ＴＤＤアップリンク・ダウンリンク構成指示が動的ＴＤＤアップリンク・ダウンリンク構成指示であるかを判断し、「ＹＥＳ」であれば、ステップ２２０を実行し、「ＮＯ」であれば、ステップ２３０を実行する。
【００４９】
ステップ２２０：当該ＵＥは、指示したＴＤＤアップリンク・ダウンリンク構成を選択し、指示したＴＤＤアップリンク・ダウンリンク構成で、格納したＴＤＤアップリンク・ダウンリンク構成を替える。
【００５０】
ステップ２３０：当該ＵＥは、現在利用するＴＤＤアップリンク・ダウンリンク構成を選択し、指示したＴＤＤアップリンク・ダウンリンク構成で、格納したＴＤＤアップリンク・ダウンリンク構成を替えない。
【００５１】
ＵＥは２セットのＴＤＤアップリンク・ダウンリンク構成を格納することもできる。１セットは、静的または半静的の設定のＴＤＤアップリンク・ダウンリンク構成であり、他の１セットは動の設定のＴＤＤアップリンク・ダウンリンク構成である。そうすると、ＴＤＤアップリンク・ダウンリンク構成指示が動的ＴＤＤアップリンク・ダウンリンク構成指示であるかを判断した後、且つ、動的ＴＤＤアップリンク・ダウンリンク構成指示であると確定した後、ＵＥは、ＵＥが格納した、指示したＴＤＤアップリンク・ダウンリンク構成の構成と同一であるＴＤＤアップリンク・ダウンリンク構成をサーチし、指示したＴＤＤアップリンク・ダウンリンク構成で、当該格納した時分割複信アップリンク・ダウンリンク構成を替える。ここで、上記ＵＥが現在利用するＴＤＤアップリンク・ダウンリンク構成は、格納したＴＤＤアップリンク・ダウンリンク構成中の１セットである。
【００５２】
対応のＴＤＤアップリンク・ダウンリンク構成の選択及び格納方法は、図４に示すように、ステップ３００と、ステップ３１０と、ステップ３２０と、ステップ３３０とを備える。
【００５３】
ステップ３００：動的ＴＤＤアップリンク・ダウンリンク構成をサポートするＵＥは、ＴＤＤアップリンク・ダウンリンク構成指示を受信する。
【００５４】
ステップ３１０：当該ＵＥは、ＴＤＤアップリンク・ダウンリンク構成指示が動的ＴＤＤアップリンク・ダウンリンク構成指示であるかを判断し、「ＹＥＳ」であれば、ステップ３２０を実行し、「ＮＯ」であれば、ステップ３３０を実行する。
【００５５】
ステップ３２０、当該ＵＥは、指示したＴＤＤアップリンク・ダウンリンク構成を選択し、指示したＴＤＤアップリンク・ダウンリンク構成で、格納した構成と同一のＴＤＤアップリンク・ダウンリンク構成を替える。
【００５６】
ステップ３３０：当該ＵＥは、現在利用するＴＤＤアップリンク・ダウンリンク構成を選択し、指示したＴＤＤアップリンク・ダウンリンク構成で、格納したＴＤＤアップリンク・ダウンリンク構成を替えない。
【００５７】
静的または半静的ＴＤＤアップリンク・ダウンリンク構成指示及び動的ＴＤＤアップリンク・ダウンリンク構成指示を動じに受信する場合、以下の選択方法がある。
【００５８】
動的ＴＤＤアップリンク・ダウンリンク構成指示が指示したＴＤＤアップリンク・ダウンリンク構成を選択する。
ＵＥは、１セットのＴＤＤアップリンク・ダウンリンク構成を格納することができ、ＴＤＤアップリンク・ダウンリンク構成指示を受信した後、動的ＴＤＤアップリンク・ダウンリンク構成指示が指示したＴＤＤアップリンク・ダウンリンク構成で、格納したＴＤＤアップリンク・ダウンリンク構成を替える。当該格納したＴＤＤアップリンク・ダウンリンク構成は、上記現在利用するＴＤＤアップリンク・ダウンリンク構成である。
【００５９】
即ち、ＴＤＤアップリンク・ダウンリンク構成指示を受信した後、動的ＴＤＤアップリンク・ダウンリンク構成指示が指示したＴＤＤアップリンク・ダウンリンク構成を選択して、格納したＴＤＤアップリンク・ダウンリンク構成を替える。
【００６０】
ＵＥは２セットのＴＤＤアップリンク・ダウンリンク構成を格納することもできる。動的ＴＤＤアップリンク・ダウンリンク指示が指示したＴＤＤアップリンク・ダウンリンク構成で、格納した同一な構成仕様のＴＤＤアップリンク・ダウンリンク構成を替え、静的または半静的ＴＤＤアップリンク・ダウンリンク指示が指示したＴＤＤアップリンク・ダウンリンク構成で、格納した同一な構成仕様のＴＤＤアップリンク・ダウンリンク構成を替える。上記ＵＥが現在利用するＴＤＤアップリンク・ダウンリンク構成は、格納したＴＤＤアップリンク・ダウンリンク構成中の１セットである。
【００６１】
即ち、ＴＤＤアップリンク・ダウンリンク構成指示を受信した後、動的ＴＤＤアップリンク・ダウンリンク構成指示が指示したＴＤＤアップリンク・ダウンリンク構成を選択して、格納した構成と同一のＴＤＤアップリンク・ダウンリンク構成を替える。
【００６２】
静的または半静的ＴＤＤアップリンク・ダウンリンク構成指示及び動的ＴＤＤアップリンク・ダウンリンク構成指示を動じに受信する場合、以下のような選択方法がある。
【００６３】
静的または半静的ＴＤＤアップリンク・ダウンリンク構成指示が指示したＴＤＤアップリンク・ダウンリンク構成を選択する。
【００６４】
ＵＥは、１セットのＴＤＤアップリンク・ダウンリンク構成を格納することができ、ＴＤＤアップリンク・ダウンリンク構成指示を受信した後、静的または半静的ＴＤＤアップリンク・ダウンリンク構成指示が指示したＴＤＤアップリンク・ダウンリンク構成で、格納したＴＤＤアップリンク・ダウンリンク構成を替える。当該格納したＴＤＤアップリンク・ダウンリンク構成は、上記現在利用するＴＤＤアップリンク・ダウンリンク構成である。
【００６５】
即ち、ＴＤＤアップリンク・ダウンリンク構成指示を受信した後、静的または半静的ＴＤＤアップリンク・ダウンリンク構成指示が指示したＴＤＤアップリンク・ダウンリンク構成を選択して、格納したＴＤＤアップリンク・ダウンリンク構成を替える。
【００６６】
ＵＥは２セットのＴＤＤアップリンク・ダウンリンク構成を格納することもできる。これに応じて、動的ＴＤＤアップリンク・ダウンリンク指示が指示したＴＤＤアップリンク・ダウンリンク構成で、格納した同一な構成仕様のＴＤＤアップリンク・ダウンリンク構成を替え、静的または半静的ＴＤＤアップリンク・ダウンリンク指示が指示したＴＤＤアップリンク・ダウンリンク構成で、格納した同一な構成仕様のＴＤＤアップリンク・ダウンリンク構成を替える。上記ＵＥが現在利用するＴＤＤアップリンク・ダウンリンク構成は、格納したＴＤＤアップリンク・ダウンリンク構成中の１セットである。
【００６７】
即ち、ＴＤＤアップリンク・ダウンリンク構成指示を受信した後、動的ＴＤＤアップリンク・ダウンリンク構成指示が指示したＴＤＤアップリンク・ダウンリンク構成を選択して、格納した構成と同一のＴＤＤアップリンク・ダウンリンク構成を替える。
【００６８】
上記いずれのユーザー設備側方法の実施例でサブフレーム伝送方向を確定した後、サブフレームのために事前に確定した伝送方が上記方法で確定した伝送方向と異なる場合があるかもしれない。このような場合のデータ伝送問題を解決するため、本出願に係る実施例は、以下のいくつかのデータ処理仕様の例を挙げた。
【００６９】
データ処理仕様１
データ伝送が必要となる場合、構成により確定した事前確定した伝送待機データを搬送するサブフレームの伝送方向が、選択したＴＤＤアップリンク・ダウンリンク構成により確定した伝送方向と異なれば、ＵＥは、当該伝送待機データを搬送するサブフレームにおいて、伝送待機データの伝送を停止する。
【００７０】
具体的には、ネットワーク側装置は、ＵＥのために、アップリンクまたはダウンリンクＳＰＳ（ｓｅｍｉ−ｐｅｒｓｉｓｔｅｎｔ ｓｃｈｅｄｕｌｉｎｇ，半永続スケジューリング）を設定し、ＵＥのアップリンクまたはダウンリンクＳＰＳの事前設定したリソースが位置するサブフレームの伝送方向が変更する。即ち、上記伝送待機データを搬送するサブフレームは、アップリンクまたはダウンリンクＳＰＳデータを伝送し、当該サブフレームの事前確定した伝送方向は、選択したＴＤＤアップリンク・ダウンリンク構成により確定した伝送方向と異なり、対応のサブフレームにおいて、アップリンクまたはダウンリンクＳＰＳデータ伝送を停止する。
【００７１】
ダウンリンクＳＰＳの例を挙げ、ダウンリンクＳＰＳリソース設定周期が２０ｍｓであると仮説し、偶数個の無線フレームのサブフレーム#３上でＳＰＳリソースを伝送するように設定し、ＴＤＤアップリンク・ダウンリンク構成が変化すれば、偶数個の無線フレーム（例えば、ＳＦＮ（システムフレーム号）=６）のうちのある１つにおけるサブフレーム#３の伝送方向も変化してしまい、ダウンリンクからアップリンクに変え、そうすれば、当該サブフレームにおいて、今回のダウンリンクＳＰＳ伝送を停止する。
【００７２】
ＵＥ側において、ダウンリンクＳＰＳ伝送を停止するとは、対応のサブフレーム上でＳＰＳリソース受信を停止することを意味する。
【００７３】
アップリンクＳＰＳ伝送について、アップリンクＳＰＳ伝送の停止とは、対応のサブフレームにおけるＳＰＳリソースの送信を停止することを意味する。
【００７４】
アップリンクまたはダウンリンクＳＰＳ伝送の停止をベースにして、また、アップリンクまたはダウンリンクＳＰＳリソースを解放してもよいし、つぎのアップリンクまたはダウンリンクＳＰＳ伝送機会（上記シナリオの例によれば、例えば、ＳＮＦ=８のサブフレーム#３）を待って、再伝送してもよい。
【００７５】
アップリンクまたはダウンリンクＳＰＳ伝送の停止、またはアップリンクまたはダウンリンクＳＰＳリソースの解放をベースにして、他のサブフレームにおいて、ネットワーク側装置が動的スケジューリング方式により伝送するダウンリンクＳＰＳのトラフィックを受信するか、または他のサブフレームにおいてネットワーク側装置の動的スケジューリングにより、アップリンクＳＰＳのトラフィックを送信する。即ち、選択したＴＤＤアップリンク・ダウンリンク構成がＳＰＳ伝送方向と同一であるサブフレームにおいて、当該ＳＰＳにより伝送しようとするデータに対する動的スケジューリングを受信する。
【００７６】
データ処理仕様について、ネットワーク側と事前に合意するか、または対応の標準に基づいて確定する。
【００７７】
具体的には、ＵＥがＰＵＳＣＨ（Ｐｈｙｓｉｃａｌ Ｕｐｌｉｎｋ Ｓｈａｒｅｄ Ｃｈａｎｎｅｌ，物理層アップリンク共有チャネル）を動的スケジューリングを行う場合、初期伝送/同期アダプティブ再伝送/同期非アダプティブ再伝送に利用するサブフレームは、アップリンクからダウンリンクに変更する。即ち、上記伝送待機データを搬送するサブフレームは、初期伝送または再伝送ＰＵＳＣＨに用いられる。当該サブフレームの事前確定した伝送方向は、選択したＴＤＤアップリンク・ダウンリンク構成により確定した伝送方向と異なり、対応のサブフレームにおいて、ＰＵＳＣＨ伝送を停止する。
【００７８】
動的スケジューリングするＰＵＳＣＨ初期伝送の例を挙げる。ＴＤＤアップリンク・ダウンリンク構成により、初期伝送タイミングサブフレームがアップリンクからダウンリンクに変更すれば、本サブフレームにおけるＰＵＳＣＨ伝送を停止することができる。ＵＥの動作は以下で説明する。
【００７９】
現在伝送回数（ＣＵＲＲＥＮＴ_ＴＸ_ＮＢ）及び現在冗長バージョン（ＣＵＲＲＥＮＴ_ＩＲＶ）を０に設定する。
ＡＣＫ（肯定応答）フィードバックをＮＡＣＫ（否定応答）に設定する。
ＵＥは、ＵＬ ｇｒａｎｔ（アップリンク・グラント）を処理し、且つ、対応のＨＡＲＱ（Ｈｙｂｒｉｄ Ａｕｔｏｍａｔｉｃ Ｒｅｐｅａｔ ｒｅｑｕｅｓｔ）バッファー（ｂｕｆｆｅｒ）において、対応のＭＡＣ ＰＤＵ（Ｐａｃｋｅｔ Ｄａｔａ Ｕｎｉｔ，パケット・データユニット）を格納するが、アップリンク伝送は行わない。
【００８０】
動的スケジューリングするＰＵＳＣＨ同期アダプティブ再伝送の例を挙げる。ＴＤＤアップリンク・ダウンリンク構成の変更により、再伝送タイミング際のサブフレームがアップリンクからダウンリンクに変更すれば、本サブフレームにおけるＰＵＳＣＨ伝送を停止することができる。ＵＥの動作は以下で説明する。
ＣＵＲＲＥＮＴ_ＴＸ_ＮＢを、現在値に１を加えの値に設定する。
ＨＡＲＱ情報に基づいて対応のＣＵＲＲＥＮＴ_ＩＲＶを設定する。
ＡＣＫフィードバックをＮＡＣＫに設定する。
アップリンク再伝送のＵＬ ｇｒａｎｔを処理するが、アップリンク伝送を行わない。
【００８１】
また、ＰＵＳＣＨ伝送の停止をベースにして、当該サブフレームにて伝送する必要があるＰＵＳＣＨに対応するＨＡＲＱプロセスを解放する。
【００８２】
具体的には、ネットワーク側装置GAＵＥのために設定した、ＰＵＣＣＨ（Ｐｈｙｓｉｃａｌ Ｕｐｌｉｎｋ Ｃｏｎｔｒｏｌ Ｃｈａｎｎｅｌ，物理層アップリンク制御チャネル）及び/またはＳＲＳ（Ｓｏｕｎｄｉｎｇ Ｒｅｆｅｒｅｎｃｅ Ｓｉｇｎａｌ）を搬送するサブフレームの伝送方向は、ＴＤＤアップリンク・ダウンリンク構成の変更により、アップリンクからダウンリンクに変更する。即ち、伝送待機データを搬送するサブフレームは、ＳＲＳ及び/またはＰＵＣＣＨを伝送する。当該サブフレームの事前確定した伝送方向は、選択したＴＤＤアップリンク・ダウンリンク構成により確定した伝送方向と異なり、対応のサブフレームにおいて、ＳＲＳ及び/またはＰＵＣＣＨの伝送を停止する。
【００８３】
また、ＳＲＳ及び/またはＰＵＣＣＨ転送の停止をベースとして、ＲＲＣ層に、ＳＲＳ及び/またはＰＵＣＣＨ構成の解放を通知する。
【００８４】
データ処理仕様２
動的ＴＤＤアップリンク・ダウンリンク構成のサポートを確定し、動的ＴＤＤアップリンク・ダウンリンク構成を起動した後、ＵＥは、アップリンクまたはダウンリンクＳＰＳリソースを解放する。
【００８５】
即ち、動的ＴＤＤアップリンク・ダウンリンク構成を起動すれば、ＳＰＳ伝送が許容されなくなる。
【００８６】
ここで、ネットワーク側装置から送信した指示情報を受信することにより、動的ＴＤＤアップリンク・ダウンリンク構成の起動を確定する。また、ネットワーク側装置から送信したＴＤＤアップリンク・ダウンリンク構成指示を受信した後に、動的ＴＤＤアップリンク・ダウンリンク構成の起動を確定することもできる。
【００８７】
また、動的ＴＤＤアップリンク・ダウンリンク構成が利用できなくなる後、ＳＰＳを引き続き利用して、アップリンク/ダウンリンクＳＰＳデータを伝送する。ネットワーク側の新いＳＰＳ構成に基づいて伝送してもよいし、前のＳＰＳ構成に基づいて伝送してもよい。
【００８８】
１個のＭＡＣ ＰＤＵを、連続のＮ個のＴＴＩ（Ｔｒａｎｓｍｉｓｓｉｏｎ Ｔｉｍｅ Ｉｎｔｅｒｖａｌ，伝送時間間隔）により伝送し、当該Ｎ個のＴＴＩ伝送を１個のバンドル伝送(Ｂｕｎｄｌｅ)に見なす。各ＴＴＩは、同一または異なる冗長バージョンを使用することができる。ＢｕｎｄｌｅしたＨＡＲＱのフィードバックタイミングは、Ｂｕｎｄｌｅした最後１個のＴＴＩにより確定する。Ｂｕｎｄｌｅ再伝送する場合、依然として、Ｂｕｎｄｌｅ形式で再伝送する。再伝送タイミングは、Ｂｕｎｄｌｅした１個のＴＴＩにより確定する。第１個のＴＴＩをｎにすれば、Ｂｕｎｄｌｅ再伝送の発生タイミングは、ｎ+２*ＨＡＲＱ ＲＴＴ（Ｒｏｕｎｄ−Ｔｒｉｐ Ｔｉｍｅ，ラウンドトリップタイム）であり、ＨＡＲＱ ＲＴＴは、デュープレックスモード及びＴＤＤアップリンク・ダウンリンク構成により確定される。ＴＤＤについて、ＴＴＩ ｂｕｎｄｌｉｎｇは、ＴＤＤアップリンク・ダウンリンク構成０/１/６のみに適用できる。
【００８９】
そして、ＴＴＩ ｂｕｎｄｌｉｎｇについて、上記各実施例において、指示したＴＤＤアップリンク・ダウンリンク構成は、ＴＤＤアップリンク・ダウンリンク構成０、または１、または６である。
【００９０】
本出願に係る実施例が提供するネットワーク側装置の通信処理方法は、図５に示すように、ステップ４００と、ステップ４１０とを備える。
【００９１】
ステップ４００：ネットワーク側装置は、ＵＥに報告した能力指示情報に基づいて、動的時分割複信アップリンク・ダウンリンク構成をサポートするかを確定する。
【００９２】
ステップ４１０：ＵＥが動的ＴＤＤアップリンク・ダウンリンク構成をサポートする場合、ネットワーク側装置がＵＥにＴＤＤアップリンク・ダウンリンク構成指示を送信した後、指示したＴＤＤアップリンク・ダウンリンク構及び当該ＵＥが現在利用するＴＤＤアップリンク・ダウンリンク構成から１セットを選択し、選択したＴＤＤアップリンク・ダウンリンク構成に基づいて、当該ＵＥのために、各サブフレームの伝送方向を確定する。
【００９３】
ここで、ＵＥが動的ＴＤＤアップリンク・ダウンリンク構成をサポートしない場合、ＴＤＤアップリンク・ダウンリンク構成指示を送信した後、当該指示がブロードキャストの形式で送信されれば、ネットワーク側装置は、指示したＴＤＤアップリンク・ダウンリンク構成が動的ＴＤＤアップリンク・ダウンリンク構成であるかを判断する。「ＹＥＳ」であれば、当該ＵＥが現在利用するＴＤＤアップリンク・ダウンリンク構成に基づいて、当該ＵＥのために各サブフレームの伝送方向を確定する。「ＮＯ」であれば、指示したＴＤＤアップリンク・ダウンリンク構成に基づいて、当該ＵＥのために各サブフレームの伝送方向を確定、指示したＴＤＤアップリンク・ダウンリンク構成で、当該ＵＥが現在利用するＴＤＤアップリンク・ダウンリンク構成を替える。
【００９４】
本出願に係る実施例において、ＴＤＤ上 /ダウンリンク構成の選択方法が多様であるが、以下で、いくつかの例を挙げる。
【００９５】
選択方法１
上記指示した時分割複信アップリンク・ダウンリンク構成を選択する。
【００９６】
即ち、当該ＴＤＤアップリンク・ダウンリンク構成指示が、動的ＴＤＤアップリンク・ダウンリンク構成指示であるか、静的または半静的ＴＤＤアップリンク・ダウンリンク構成指示であるかに関係ず、当該ＴＤＤアップリンク・ダウンリンク構成指示が指示したアップリンク・ダウンリンク構成を選択する。
【００９７】
これに応じて、１セットのＵＥのＴＤＤアップリンク・ダウンリンク構成のみを格納することができる。ＴＤＤアップリンク・ダウンリンク構成指示を送信した後、指示したＴＤＤアップリンク・ダウンリンク構成で、ネットワークが格納した当該ＵＥのＴＤＤアップリンク・ダウンリンク構成を替える。ここで、ネットワークが格納したＵＥのＴＤＤアップリンク・ダウンリンク構成は、上記ＵＥが現在利用するＴＤＤアップリンク・ダウンリンク構成である。
【００９８】
即ち、ＴＤＤアップリンク・ダウンリンク構成指示を送信した後、指示したＴＤＤアップリンク・ダウンリンク構成を選択して、格納したＵＥのＴＤＤアップリンク・ダウンリンク構成を替える。
【００９９】
２セットのＵＥのＴＤＤアップリンク・ダウンリンク構成を格納することもできる。そのうちの１セットは、静的または半静的の設定のＴＤＤアップリンク・ダウンリンク構成であり、他の１セットは動の設定のＴＤＤアップリンク・ダウンリンク構成である。ネットワークが格納した、ＴＤＤアップリンク・ダウンリンク構成指示した構成仕様と同様な当該ＵＥのＴＤＤアップリンク・ダウンリンク構成をサーチし、指示したＴＤＤアップリンク・ダウンリンク構成で、当該格納したＵＥのＴＤＤアップリンク・ダウンリンク構成を替える。ここで、上記ＵＥが現在利用するＴＤＤアップリンク・ダウンリンク構成は、格納した当該ＵＥのＴＤＤアップリンク・ダウンリンク構成中の１セットである。
【０１００】
即ち、ＴＤＤアップリンク・ダウンリンク構成指示を送信した後、指示したＴＤＤアップリンク・ダウンリンク構成を選択して、格納した構成と同一のＵＥのＴＤＤアップリンク・ダウンリンク構成を替える。
【０１０１】
選択方法２
ネットワーク側装置は、ＴＤＤアップリンク・ダウンリンク構成指示が動的ＴＤＤアップリンク・ダウンリンク構成指示であるかを判断する。「ＹＥＳ」であれば、指示したＴＤＤアップリンク・ダウンリンク構成を選択し、「ＮＯ」であれば、当該ＵＥが現在利用するＴＤＤアップリンク・ダウンリンク構成を選択する。
【０１０２】
これに応じて、ネットワークは、１セットのみのＴＤＤアップリンク・ダウンリンク構成を格納することができる。ＴＤＤアップリンク・ダウンリンク構成指示が動的ＴＤＤアップリンク・ダウンリンク構成指示であるかを判断し、且つ、動的ＴＤＤアップリンク・ダウンリンク構成指示であると確定した後、ネットワーク側装置は、指示したＴＤＤアップリンク・ダウンリンク構成で、格納した当該ＵＥのＴＤＤアップリンク・ダウンリンク構成を替える。
【０１０３】
対応のＴＤＤアップリンク・ダウンリンク構成の選択及び格納の実施方法は、図６に示すように、ステップ５００と、ステップ５１０と、ステップ５２０と、ステップ５３０とを備える。
【０１０４】
ステップ５００：動的ＴＤＤアップリンク・ダウンリンク構成をサポートするＵＥに、ＴＤＤアップリンク・ダウンリンク構成指示を送信する。
【０１０５】
ステップ５１０：ＴＤＤアップリンク・ダウンリンク構成指示が動的ＴＤＤアップリンク・ダウンリンク構成指示であるかを判断する。「ＹＥＳ」であれば、ステップ２２０を実行し、「ＮＯ」であれば、ステップ２３０を実行する。
【０１０６】
ステップ５２０：指示したＴＤＤアップリンク・ダウンリンク構成を選択し、指示したＴＤＤアップリンク・ダウンリンク構成で、格納したＵＥのＴＤＤアップリンク・ダウンリンク構成を替える。
【０１０７】
ステップ５３０、ＵＥが現在利用するＴＤＤアップリンク・ダウンリンク構成を選択し、指示したＴＤＤアップリンク・ダウンリンク構成で、格納したＵＥのＴＤＤアップリンク・ダウンリンク構成を替えない。
【０１０８】
ネットワークは、２セットのＴＤＤアップリンク・ダウンリンク構成を格納することもできる。そのうちの１セットは、静的または半静的の設定のＴＤＤアップリンク・ダウンリンク構成であり、他の１セットは動の設定のＴＤＤアップリンク・ダウンリンク構成である。そして、ＴＤＤアップリンク・ダウンリンク構成指示が動的ＴＤＤアップリンク・ダウンリンク構成指示であるかを判断し、且つ、動的ＴＤＤアップリンク・ダウンリンク構成指示であると確定した後、ネットワーク側装置は、ネットワークが格納した、指示したＴＤＤアップリンク・ダウンリンク構成の構成と同一であるＴＤＤアップリンク・ダウンリンク構成をサーチし、指示したＴＤＤアップリンク・ダウンリンク構成で、当該格納した時分割複信アップリンク・ダウンリンク構成を替える。ここで、上記ＵＥが現在利用するＴＤＤアップリンク・ダウンリンク構成は、ネットワークが格納したＴＤＤアップリンク・ダウンリンク構成中の１セットである。
【０１０９】
対応のＴＤＤアップリンク・ダウンリンク構成の選択及び格納の実施方法は、図７に示すように、ステップ６００と、ステップ６１０と、ステップ６２０と、ステップ６３０とを備える。
【０１１０】
ステップ６００：動的ＴＤＤアップリンク・ダウンリンク構成をサポートするＵＥに、ＴＤＤアップリンク・ダウンリンク構成指示を送信する。
【０１１１】
ステップ６１０：ＴＤＤアップリンク・ダウンリンク構成指示が動的ＴＤＤアップリンク・ダウンリンク構成指示であるかを判断する。「ＹＥＳ」であれば、ステップ６２０を実行し、「ＮＯ」であれば、ステップ６３０を実行する。
【０１１２】
ステップ６２０：ＵＥが指示したＴＤＤアップリンク・ダウンリンク構成を選択し、指示したＴＤＤアップリンク・ダウンリンク構成で、格納した構成と同一のＴＤＤアップリンク・ダウンリンク構成を替える。
【０１１３】
ステップ６３０：ＵＥが現在利用するＴＤＤアップリンク・ダウンリンク構成を選択し、指示したＴＤＤアップリンク・ダウンリンク構成で、格納したＵＥのＴＤＤアップリンク・ダウンリンク構成を替えない。
【０１１４】
アップリンク・ダウンリンク構成指示を同時に送信すれば、その選択方法は以下で説明する。
【０１１５】
ネットワーク側装置は、動的ＴＤＤアップリンク・ダウンリンク構成指示が指示したＴＤＤアップリンク・ダウンリンク構成を選択する。
【０１１６】
ネットワークは、１セットのＵＥのＴＤＤアップリンク・ダウンリンク構成のみを格納することができる。これに応じて、ＴＤＤアップリンク・ダウンリンク構成指示を送信した後、動的ＴＤＤアップリンク・ダウンリンク構成指示が指示したＴＤＤアップリンク・ダウンリンク構成で、ネットワークが格納した当該ＵＥのＴＤＤアップリンク・ダウンリンク構成を替える。当該格納したＵＥのＴＤＤアップリンク・ダウンリンク構成は、上記ＵＥが現在利用するＴＤＤアップリンク・ダウンリンク構成である。
【０１１７】
即ち、ＴＤＤアップリンク・ダウンリンク構成指示を送信した後、動的ＴＤＤアップリンク・ダウンリンク構成指示が指示したＴＤＤアップリンク・ダウンリンク構成を選択して、格納したＵＥのＴＤＤアップリンク・ダウンリンク構成を替える。
【０１１８】
ネットワークは、２セットのＵＥのＴＤＤアップリンク・ダウンリンク構成を格納することもできる。これに応じて、動的ＴＤＤアップリンク・ダウンリンク指示が指示したＴＤＤアップリンク・ダウンリンク構成で、当該ＵＥに格納した同一な構成仕様を採用するＴＤＤアップリンク・ダウンリンク構成を替える。静的または半静的ＴＤＤアップリンク・ダウンリンク指示が指示したＴＤＤアップリンク・ダウンリンク構成で、ネットワークが当該ＵＥに格納した、同様な構成仕様を採用したＴＤＤアップリンク・ダウンリンク構成を替える。上記ＵＥが現在利用するＴＤＤアップリンク・ダウンリンク構成は、ネットワークが格納した当該ＵＥのＴＤＤアップリンク・ダウンリンク構成中の１セットである。
【０１１９】
即ち、ＴＤＤアップリンク・ダウンリンク構成指示を送信した後、動的ＴＤＤアップリンク・ダウンリンク構成指示が指示したＴＤＤアップリンク・ダウンリンク構成を選択して、格納した構成と同一のＵＥのＴＤＤアップリンク・ダウンリンク構成を替える。
【０１２０】
アップリンク・ダウンリンク構成指示を同時に送信すれば、選択方法は、以下のようになる。
【０１２１】
ネットワーク側装置は、静的または半静的ＴＤＤアップリンク・ダウンリンク構成指示が指示したＴＤＤアップリンク・ダウンリンク構成を選択する。
【０１２２】
ネットワークは、１セットのＵＥのＴＤＤアップリンク・ダウンリンク構成のみを格納することができる。これに応じて、ＴＤＤアップリンク・ダウンリンク構成指示を送信した後、静的ＴＤＤアップリンク・ダウンリンク構成指示が指示したＴＤＤアップリンク・ダウンリンク構成で、ネットワークが格納した当該ＵＥのＴＤＤアップリンク・ダウンリンク構成を替える。当該格納したＵＥのＴＤＤアップリンク・ダウンリンク構成は、上記ＵＥが現在利用するＴＤＤアップリンク・ダウンリンク構成である。
【０１２３】
即ち、ＴＤＤアップリンク・ダウンリンク構成指示を送信した後、静的または半静的ＴＤＤアップリンク・ダウンリンク構成指示が指示したＴＤＤアップリンク・ダウンリンク構成を選択して、格納したＵＥのＴＤＤアップリンク・ダウンリンク構成を替える。
【０１２４】
ネットワーク２セットのＵＥのＴＤＤアップリンク・ダウンリンク構成を格納することもできる。これに応じて、動的ＴＤＤアップリンク・ダウンリンク指示が指示したＴＤＤアップリンク・ダウンリンク構成で、当該ＵＥに格納した同様な構成仕様を採用するＴＤＤアップリンク・ダウンリンク構成を替える。静的または半静的ＴＤＤアップリンク・ダウンリンク指示が指示したＴＤＤアップリンク・ダウンリンク構成で、ネットワークが当該ＵＥ格納した同一な構成仕様で構成されたＴＤＤアップリンク・ダウンリンク構成を替える。上記ＵＥが現在利用するＴＤＤアップリンク・ダウンリンク構成は、ネットワークが格納した当該ＵＥのＴＤＤアップリンク・ダウンリンク構成中の１セットである。
【０１２５】
即ち、ＴＤＤアップリンク・ダウンリンク構成指示を送信した後、動的ＴＤＤアップリンク・ダウンリンク構成指示が指示したＴＤＤアップリンク・ダウンリンク構成を選択して、格納した構成と同一のＵＥのＴＤＤアップリンク・ダウンリンク構成を替える。
【０１２６】
上記いずれかのネットワーク側装置の実施例により、ユーザー設備サブフレーム伝送方向を確定した後、サブフレームのために事前に確定した伝送方が上記方法で確定した伝送方向と異なる場合があるかもしれない。このような場合のデータ伝送問題を解決するため、本出願に係る実施例は、以下のデータ処理仕様の例を挙げる。
【０１２７】
データ処理仕様１
データ伝送が必要となる場合、ユーザー設備のために事前確定した伝送待機データを搬送するサブフレームの伝送方向が、選択したＴＤＤアップリンク・ダウンリンク構成に基づいて上記ＵＥのために確定した伝送方向と異なれば、伝送待機データを搬送するサブフレームにおいて、伝送待機データの伝送を停止する。
【０１２８】
具体的には、ネットワーク側装置がＵＥのためにアップリンクまたはダウンリンクＳＰＳを設定し、ＵＥのアップリンクまたはダウンリンクＳＰＳの事前設定したリソースが位置するサブフレームの伝送方向が、変更される。即ち、上記伝送待機データを搬送するサブフレームは、アップリンクまたはダウンリンクＳＰＳデータを伝送し、当該サブフレームの事前確定した伝送方向は、選択したＴＤＤアップリンク・ダウンリンク構成により確定した伝送方向と異なり、対応のサブフレームにおいて、アップリンクまたはダウンリンクＳＰＳデータ伝送を停止する。
【０１２９】
ダウンリンクＳＰＳの例を挙げ、ダウンリンクＳＰＳリソース設定周期が２０ｍｓであると仮説し、偶数個の無線フレームのサブフレーム#３上でＳＰＳリソースを伝送するように設定し、ＴＤＤアップリンク・ダウンリンク構成が変化すれば、偶数個のうちのある無線フレーム（例えば、システムフレーム号（ＳＦＮ）=６）のサブフレーム#３伝送方向が変化され、ダウンリンクからアップリンクに変え、そうすれば、当該サブフレームにおいて、今回のダウンリンクＳＰＳ伝送を停止する。
【０１３０】
ネットワーク側装置について、ダウンリンクＳＰＳ伝送の停止とは、対応のサブフレームにおけるＳＰＳリソース伝送を停止することを意味する。
【０１３１】
アップリンクＳＰＳ伝送について、アップリンクＳＰＳ伝送の停止とは、対応のサブフレームにおけるＳＰＳリソース伝送を停止することを意味する。
【０１３２】
アップリンクまたはダウンリンクＳＰＳ伝送の停止をベースにして、アップリンクまたはダウンリンクＳＰＳリソースを解放してもよいし、つぎのアップリンクまたはダウンリンクＳＰＳ伝送機会（上記シナリオの例によれば、例えば、ＳＮＦ=８のサブフレーム#３）を待って再伝送する。
【０１３３】
アップリンクまたはダウンリンクＳＰＳ伝送の停止、またはアップリンクまたはダウンリンクＳＰＳリソースの解放をベースとして、他のサブフレームにおいて、動的スケジューリング方式で伝送するダウンリンクＳＰＳのトラフィックを受信するか、または他のサブフレームにおいて、動的スケジューリングに基づいてアップリンクＳＰＳのトラフィックを受信する。即ち、選択したＴＤＤアップリンク・ダウンリンク構成により、ＳＰＳ伝送方向と同一となるサブフレームを選択し、当該ＳＰＳが伝送しようとするデータを動的スケジューリングする。
【０１３４】
データ処理仕様についてい、ユーザー設備側と事前に合意し、または対応の標準により確定される。
【０１３５】
具体的には、ＵＥが動的スケジューリングするＰＵＳＣＨ初期伝送/同期アダプティブ再伝送/同期非アダプティブ再伝送に利用するサブフレームは、アップリンクからダウンリンクに変更される。即ち、上記伝送待機データを搬送するサブフレームは、初期伝送または再伝送ＰＵＳＣＨに用いられる。当該サブフレームの事前確定した伝送方向は、選択したＴＤＤアップリンク・ダウンリンク構成により確定した伝送方向と異なり、対応のサブフレームにおいて、ＰＵＳＣＨ伝送を停止する。
【０１３６】
ここで、ＰＵＳＣＨ伝送の停止は、ＰＵＳＣＨ受信を停止する。
【０１３７】
また、ＰＵＳＣＨ伝送の停止をベースにして、当該サブフレームにて伝送する必要があるＰＵＳＣＨに対応するＨＡＲＱプロセスを解放する。
【０１３８】
具体的には、ネットワーク側装置がＵＥのために設定下、ＰＵＣＣＨ及び/またはＳＲＳを搬送するサブフレームの伝送方向は、ＴＤＤアップリンク・ダウンリンク構成の変更により、アップリンクからダウンリンクに変更される。即ち、伝送待機データを搬送するサブフレームは、ＳＲＳ及び/またはＰＵＣＣＨを伝送する当該サブフレームの事前確定した伝送方向は、選択したＴＤＤアップリンク・ダウンリンク構成により確定した伝送方向と異なり、対応のサブフレームにおいて、ＳＲＳ及び/またはＰＵＣＣＨの伝送を停止する。
【０１３９】
ここで、対応のサブフレームにおいて、ＳＲＳ及び/またはＰＵＣＣＨの伝送を停止することとは、ＳＲＳ及び/またはＰＵＣＣＨ受信を停止することを指す。
【０１４０】
また、ＳＲＳ及び/またはＰＵＣＣＨ転送の停止をベースとして、ＲＲＣ層に、ＳＲ及び/またはＰＵＣＣＨ構成を解放するように通知する。
【０１４１】
データ処理仕様２
ＴＤＤアップリンク・ダウンリンク構成のサポートを確定し、ＵＥの動的ＴＤＤアップリンク・ダウンリンク構成を起動した後、アップリンク/ダウンリンクＳＰＳリソースを解放する。
【０１４２】
即ち、動的ＴＤＤアップリンク・ダウンリンク構成を起動すれば、ＳＰＳ伝送が許容されなくなる。
【０１４３】
ここで、送信した指示情報に基づいて、動的ＴＤＤアップリンク・ダウンリンク構成の起動を確定することができるし、ＴＤＤアップリンク・ダウンリンク構成指示を送信した後に、動的ＴＤＤアップリンク・ダウンリンク構成の起動を確定する。
【０１４４】
また、ＵＥの動的ＴＤＤアップリンク・ダウンリンク構成が利用できなくなった後、ＳＰＳで、当該ＵＥのアップリンク/ダウンリンクＳＰＳデータの伝送をスケジューリングすることができる。ネットワーク側の新いＳＰＳ構成で伝送することもできるし、前のＳＰＳ構成で伝送することもできる。
【０１４５】
データ処理仕様３
伝送待機データを搬送するサブフレームの事前確定した伝送方向を取得し、事前確定した伝送方向と同一であるＴＤＤアップリンク・ダウンリンク構成を選択する。選択したＴＤＤアップリンク・ダウンリンク構成は、上記ＴＤＤアップリンク・ダウンリンク指示が指示したＴＤＤアップリンク・ダウンリンク構成である。
【０１４６】
即ち、あるサブフレームにＰＲＡＣＨ（Ｐｈｙｓｉｃａｌ Ｒａｎｄｏｍ Ａｃｃｅｓｓ Ｃｈａｎｎｅｌ，物理ランダムアクセスチャネル）/ＰＵＣＣＨ/ＳＲＳが設定されれば、動的ＴＤＤアップリンク・ダウンリンク構成場合に選択したＴＤＤアップリンク・ダウンリンク構成を利用するには、ＰＲＡＣＨ/ＰＵＣＣＨ/ＳＲＳのサブフレームの伝送方向が変わらないことを確保する必要がある。
【０１４７】
あるサブフレームにＳＰＳが設定されれば、当該サブフレームの伝送方向の変更は許容できない。
【０１４８】
データ処理仕様４
伝送方向が固定されるサブフレームを確定する。伝送方向が固定されるサブフレームにおいて、アップリンク・ダウンリンクＳＰＳの設定、ＰＵＣＣＨリソースの設定、ＰＲＡＣＨ及び/またはＳＲＳリソースの設定を行う。
【０１４９】
即ち、ＰＲＡＣＨ/ＰＵＣＣＨ/ＳＲＳを、伝送方向が変わらない伝送方向のＵＬサブフレームのみに設定する。
【０１５０】
ＳＰＳを、伝送方向が変わらないサブフレームのみに設定する。以下、例を挙げながら説明する。セルにおいて、動的ＴＤＤアップリンク・ダウンリンク構成の場合、伝送方向が変わらないサブフレーム集合は{#０，#１，#２，#５，#９}であれば、セルまたはＵＥが動的ＴＤＤアップリンク・ダウンリンク構成をサポートするか、または動的ＴＤＤ構成を起動すると、アップリンクまたはダウンリンクＳＰＳを当該集合内のサブフレームのみに設定されることが許容される。
【０１５１】
ここで、伝送方向が固定されるサブフレームは、従来のＴＤＤアップリンク・ダウンリンク構成０〜６において、伝送方向が固定されるサブフレームを伝送することもできるし、合意によって、伝送方向が変わらないサブフレームを伝送することもできる。
【０１５２】
ＴＴＩ ｂｕｎｄｌｉｎｇについて、上記各実施例において、指示したＴＤＤアップリンク・ダウンリンク構成は、ＴＤＤアップリンク・ダウンリンク構成０、または１、または６である。
【０１５３】
方法と同様な発明思想に基づいて、本出願に係る実施例はユーザー設備を提供する。当該ユーザー設備は、図８に示すように、能力報告モジュール８０１と、サブフレーム伝送方向確定モジュール８０２とを備える。
【０１５４】
当該能力報告モジュール８０１は、ネットワーク側装置に能力指示情報を報告し、能力指示情報は、動的時分割複信アップリンク・ダウンリンク構成をサポートするかを示す。
【０１５５】
サブフレーム伝送方向確定モジュール８０２は、動的時分割複信アップリンク・ダウンリンク構成をサポートする場合、時分割複信アップリンク・ダウンリンク構成指示を受信すれば、指示した時分割複信アップリンク・ダウンリンク構成及び現在利用する時分割複信アップリンク・ダウンリンク構成から１セットを選択し、選択した時分割複信アップリンク・ダウンリンク構成に基づいて、各サブフレームの伝送方向を確定する。
【０１５６】
本出願に係る実施例のユーザー設備の各機能モジュールの実施は、方法の実施例を参照することができるため、その以上説明しない。
【０１５７】
図８に示す実施例に基づいて、好ましくは、指示した時分割複信アップリンク・ダウンリンク構成及び現在利用する時分割複信アップリンク・ダウンリンク構成から１セットを選択する場合、サブフレーム伝送方向確定モジュール８０１は、以下のことに用いられる。
【０１５８】
指示した時分割複信アップリンク・ダウンリンク構成を選択する。
【０１５９】
時分割複信アップリンク・ダウンリンク構成指示を受信する。サブフレーム伝送方向確定モジュール８０１は、指示した時分割複信アップリンク・ダウンリンク構成で、ユーザー設備に格納した時分割複信アップリンク・ダウンリンク構成を替える。
【０１６０】
または、ユーザー設備に格納した、時分割複信アップリンク・ダウンリンク構成と同様な指示した構成仕様を採用する時分割複信アップリンク・ダウンリンク構成をサーチし、指示した時分割複信アップリンク・ダウンリンク構成で、格納した時分割複信アップリンク・ダウンリンク構成を替える。
【０１６１】
図８に示す実施例に基づいて、好ましくは、指示した時分割複信アップリンク・ダウンリンク構成及び現在利用する時分割複信アップリンク・ダウンリンク構成から１セットを選択する場合、サブフレーム伝送方向確定モジュール８０１は、以下のことに用いられる。
【０１６２】
時分割複信アップリンク・ダウンリンク構成指示が動的時分割複信アップリンク・ダウンリンク構成指示であるかを判断する。「ＹＥＳ」であれば、指示した時分割複信アップリンク・ダウンリンク構成を選択し、「ＮＯ」であれば、現在利用する時分割複信アップリンク・ダウンリンク構成を選択する。
【０１６３】
時分割複信アップリンク・ダウンリンク構成指示が動的時分割複信アップリンク・ダウンリンク構成指示であるかを判断した後、サブフレーム伝送方向確定モジュール８０１は、以下のことに用いられる。
【０１６４】
動的時分割複信アップリンク・ダウンリンク構成指示であれば、指示した時分割複信アップリンク・ダウンリンク構成で、ユーザー設備に格納した時分割複信アップリンク・ダウンリンク構成を替える。
【０１６５】
または、動的時分割複信アップリンク・ダウンリンク構成指示であれば、ユーザー設備に格納した、指示した時分割複信アップリンク・ダウンリンク構成の構成仕様と同様な時分割複信アップリンク・ダウンリンク構成をサーチし、指示した時分割複信アップリンク・ダウンリンク構成で、格納した時分割複信アップリンク・ダウンリンク構成を替える。
【０１６６】
上記いずれのユーザー設備実施例に基づいて、好ましくは、静的または半静的時分割複信アップリンク・ダウンリンク構成指示及び動的時分割複信アップリンク・ダウンリンク構成指示を同時に受信すれば、指示した時分割複信アップリンク・ダウンリンク構成及び現在利用する時分割複信アップリンク・ダウンリンク構成から１セットを選択する場合、サブフレーム伝送方向確定モジュール８０１は、以下のことに用いられる。
【０１６７】
動的時分割複信アップリンク・ダウンリンク構成指示が指示した時分割複信アップリンク・ダウンリンク構成を選択する。
【０１６８】
時分割複信アップリンク・ダウンリンク構成指示を受信する。サブフレーム伝送方向確定モジュール８０１は、以下のことに用いられる。
【０１６９】
動的時分割複信アップリンク・ダウンリンク構成指示が指示した時分割複信アップリンク・ダウンリンク構成で、ユーザー設備に格納した時分割複信アップリンク・ダウンリンク構成を替える。
【０１７０】
または、動的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替える。静的または半静的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替える。
【０１７１】
上記いずれのユーザー設備実施例に基づいて、好ましくは、静的または半静的時分割複信アップリンク・ダウンリンク構成指示及び動的時分割複信アップリンク・ダウンリンク構成指示を同時に受信すれば、指示した時分割複信アップリンク・ダウンリンク構成及び現在利用する時分割複信アップリンク・ダウンリンク構成から１セットを選択する場合、サブフレーム伝送方向確定モジュール８０１は、以下のことに用いられる。
【０１７２】
静的または半静的時分割複信アップリンク・ダウンリンク構成指示が指示した時分割複信アップリンク・ダウンリンク構成を選択する。
【０１７３】
時分割複信アップリンク・ダウンリンク構成指示を受信する。サブフレーム伝送方向確定モジュール８０１は、以下のことに用いられる。
【０１７４】
静的または半静的時分割複信アップリンク・ダウンリンク構成指示が指示した時分割複信アップリンク・ダウンリンク構成で、ユーザー設備に格納した時分割複信アップリンク・ダウンリンク構成を替える。または、
【０１７５】
または、動的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替える。静的または半静的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替える。
【０１７６】
上記いずれのユーザー設備実施例に基づいて、選択したサブフレーム伝送方向が事前確定した伝送方向と異なる問題点を解決するため、本出願に係る実施例が提供するユーザー設備は、データ伝送の処理を行うこともできる。具体的な実施は、以下いずれのデータ処理モジュールにより行う。
【０１７７】
事前確定した伝送待機データを搬送するサブフレームの伝送方向は、選択した時分割複信アップリンク・ダウンリンク構成により確定した伝送方向と異なれば、ユーザー設備は、伝送待機データを搬送するサブフレームにおいて、伝送待機データの伝送を停止する第１データ処理モジュールを更に備える。
【０１７８】
また、第１データ処理モジュールは、以下のことに用いられる。 
伝送待機データを搬送するサブフレームがアップリンクまたはダウンリンク半永続スケジューリングデータを伝送すれば、アップリンクまたはダウンリンク半永続スケジューリングリソースを解放する。
伝送待機データを搬送するサブフレームが初期伝送または物理アップリンク共有チャネルの再伝送に用いられれば、当該サブフレームにて伝送すべく物理層アップリンク共有チャネルに対応するハイブリッド自動再送要求の再伝送プロセスを解放する。
伝送待機データを搬送するサブフレームがＳＲＳ及び/または物理アップリンク制御チャネルを伝送すれば、無線リソース制御プロトコル層に、ＳＲＳ及び/または物理アップリンク制御チャネル構成を解放することを通知する。
【０１７９】
前記データ処理仕様に基づいて、伝送待機データを搬送するサブフレームにおいて、アップリンクまたはダウンリンク半永続スケジューリングデータの伝送を停止すれば、ユーザー設備は、選択した時分割複信アップリンク・ダウンリンク構成が半永続スケジューリング伝送方向と同一であるサブフレームにおいて、当該半永続スケジューリングにより伝送しようとするデータの動的スケジューリングを受信する第２データ処理モジュールを更に備えることができる。
【０１８０】
動的時分割複信アップリンク・ダウンリンク構成をサポートし、動的時分割複信アップリンク・ダウンリンク構成を起動する場合、ユーザー設備は、アップリンクまたはダウンリンク半永続スケジューリングリソースを解放する第３データ処理モジュールを備える。
【０１８１】
方法と同様な発明思想に基づいて、本出願に係る実施例は、ネットワーク側装置を提供し、図９に示すように、構成方式サポート確定モジュール９０１と、サブフレーム伝送方向確定モジュール９０２とを備える。
【０１８２】
当該構成方式サポート確定モジュール９０１は、ユーザー設備が報告した能力指示情報に基づいて、動的時分割複信アップリンク・ダウンリンク構成をサポートするかを確定する。
【０１８３】
サブフレーム伝送方向確定モジュール９０２は、ユーザー設備が動的時分割複信アップリンク・ダウンリンク構成をサポートする場合、ユーザー設備に時分割複信アップリンク・ダウンリンク構成指示を送信した後、指示した時分割複信アップリンク・ダウンリンク構成及びユーザー設備が現在利用する時分割複信アップリンク・ダウンリンク構成から１セットを選択し、選択した時分割複信アップリンク・ダウンリンク構成に基づいて、ユーザー設備のために、各サブフレームの伝送方向を確定する。
【０１８４】
本出願に係る実施例のネットワーク側装置について、その機能モジュールの具体的な実施方法は方法の実施例を参照することができるため、この以上説明しない。
【０１８５】
図９に示す実施例に基づいて、好ましくは、指示した時分割複信アップリンク・ダウンリンク構成及び現在利用する時分割複信アップリンク・ダウンリンク構成から１セットを選択する場合、サブフレーム伝送方向確定モジュール９０１は、指示した時分割複信アップリンク・ダウンリンク構成を選択する。
【０１８６】
時分割複信アップリンク・ダウンリンク構成指示を送信した後、サブフレーム伝送方向確定モジュール９０１は、以下のことに用いられる。
指示した時分割複信アップリンク・ダウンリンク構成で、ネットワークが格納したユーザー設備の時分割複信アップリンク・ダウンリンク構成を替える。
または、ネットワークが格納した、時分割複信アップリンク・ダウンリンク構成指示の構成仕様と同一であるユーザー設備の時分割複信アップリンク・ダウンリンク構成をサーチし、指示した時分割複信アップリンク・ダウンリンク構成で、格納したユーザー設備の時分割複信アップリンク・ダウンリンク構成を替える。
【０１８７】
図９に示す実施例に基づいて、好ましくは、指示した時分割複信アップリンク・ダウンリンク構成及び現在利用する時分割複信アップリンク・ダウンリンク構成から１セットを選択する場合、サブフレーム伝送方向確定モジュール５０１は、時分割複信アップリンク・ダウンリンク構成指示が動的時分割複信アップリンク・ダウンリンク構成指示であるかを判断する。「ＹＥＳ」であれば、指示した時分割複信アップリンク・ダウンリンク構成を選択する，「ＮＯ」であれば、ユーザー設備が現在利用する時分割複信アップリンク・ダウンリンク構成を選択する。
【０１８８】
時分割複信アップリンク・ダウンリンク構成指示が動的時分割複信アップリンク・ダウンリンク構成指示であるかを判断した後、サブフレーム伝送方向確定モジュール９０１は、以下のことに用いられる。
【０１８９】
動的時分割複信アップリンク・ダウンリンク構成指示であれば、指示した時分割複信アップリンク・ダウンリンク構成で、ネットワークが格納したユーザー設備の時分割複信アップリンク・ダウンリンク構成を替える。
【０１９０】
または、動的時分割複信アップリンク・ダウンリンク構成指示であれば、格納した指示した時分割複信アップリンク・ダウンリンク構成の構成仕様と同一であるユーザー設備の時分割複信アップリンク・ダウンリンク構成で、ユーザー設備の時分割複信アップリンク・ダウンリンク構成を替える。
【０１９１】
上記いずれのネットワーク側装置の実施例に基づいて、好ましくは、静的または半静的時分割複信アップリンク・ダウンリンク構成指示及び動的時分割複信アップリンク・ダウンリンク構成指示を同時に送信し、指示した時分割複信アップリンク・ダウンリンク構成及び現在利用する時分割複信アップリンク・ダウンリンク構成から１セットを選択する場合、サブフレーム伝送方向確定モジュール９０１は、動的時分割複信アップリンク・ダウンリンク構成指示が指示した時分割複信アップリンク・ダウンリンク構成を選択する。
【０１９２】
時分割複信アップリンク・ダウンリンク構成指示を送信した後、サブフレーム伝送方向確定モジュール９０１は、動的時分割複信アップリンク・ダウンリンク構成指示が指示した時分割複信アップリンク・ダウンリンク構成で、ネットワークが格納したユーザー設備の時分割複信アップリンク・ダウンリンク構成を替える。
または、動的時分割複信アップリンク・ダウンリンク指示が指示した時分割複信アップリンク・ダウンリンク構成で、ネットワークがユーザー設備に格納した、同様な構成仕様を採用する時分割複信アップリンク・ダウンリンク構成を替える。静的または半静的時分割複信アップリンク・ダウンリンク指示が指示した時分割複信アップリンク・ダウンリンク構成で、ネットワークがユーザー設備に格納した、同様な構成仕様を採用する時分割複信アップリンク・ダウンリンク構成を替える。
【０１９３】
上記いずれのネットワーク側装置の実施例に基づいて、好ましくは、静的または半静的時分割複信アップリンク・ダウンリンク構成指示及び動的時分割複信アップリンク・ダウンリンク構成指示を同時に送信し、指示した時分割複信アップリンク・ダウンリンク構成及び現在利用する時分割複信アップリンク・ダウンリンク構成から１セットを選択する場合、サブフレーム伝送方向確定モジュール９０１は、静的または半静的時分割複信アップリンク・ダウンリンク構成指示が指示した時分割複信アップリンク・ダウンリンク構成を選択する。
【０１９４】
時分割複信アップリンク・ダウンリンク構成指示を送信した後、サブフレーム伝送方向確定モジュール９０１は、静的または半静的時分割複信アップリンク・ダウンリンク構成指示が指示した時分割複信アップリンク・ダウンリンク構成で、ネットワークが格納したユーザー設備の時分割複信アップリンク・ダウンリンク構成を替える。
または、動的時分割複信アップリンク・ダウンリンク指示が指示した時分割複信アップリンク・ダウンリンク構成で、ネットワークがユーザー設備に格納した、同様な構成仕様を採用する時分割複信アップリンク・ダウンリンク構成を替える。静的または半静的時分割複信アップリンク・ダウンリンク指示が指示した時分割複信アップリンク・ダウンリンク構成で、ネットワークがユーザー設備に格納した、同様な構成仕様を採用する時分割複信アップリンク・ダウンリンク構成を替える。
【０１９５】
上記いずれのネットワーク側装置の実施例に基づいて、好ましくは、サブフレーム伝送方向確定モジュール９０１は、時分割複信アップリンク・ダウンリンク構成指示を送信した後、指示した時分割複信アップリンク・ダウンリンク構成が動的時分割複信アップリンク・ダウンリンク構成であるかを判断する。
「ＹＥＳ」であれば、現在利用する時分割複信アップリンク・ダウンリンク構成に基づいて、ユーザー設備のために各サブフレームの伝送方向を確定する。
「ＮＯ」であれば、指示した時分割複信アップリンク・ダウンリンク構成に基づいて、ユーザー設備のために、各サブフレームの伝送方向を確定し、指示した時分割複信アップリンク・ダウンリンク構成で、現在利用する時分割複信アップリンク・ダウンリンク構成を替える。
【０１９６】
上記いずれのネットワーク側装置の実施例に基づいて、選択したサブフレーム伝送方向が事前確定した伝送方向と異なるとの問題点を解決するため、本出願に係る実施例のネットワーク側装置は、データ伝送を処理することもできる。その具体的な実施方法は、以下いずれのデータ処理モジュールにより行う。
【０１９７】
ユーザー設備のために事前に確定した伝送待機データを搬送するサブフレームの伝送方向が、選択した時分割複信アップリンク・ダウンリンク構成に基づいてユーザー設備のために確定した伝送方向と異なれば、ネットワーク側装置は、伝送待機データを搬送するサブフレームにおいて、伝送待機データの伝送を停止する第４データ処理モジュールを備える。
【０１９８】
また、第４データ処理モジュールは以下のことに用いられる。
【０１９９】
伝送待機データを搬送するサブフレームがアップリンクまたはダウンリンク半永続スケジューリングデータを伝送すれば、アップリンクまたはダウンリンク半永続スケジューリングリソースを解放する。
【０２００】
伝送待機データを搬送するサブフレームが初期伝送または物理アップリンク共有チャネルの再伝送に用いられれば、当該サブフレームにて伝送すべく物理層アップリンク共有チャネルに対応するハイブリッド自動再送要求の再伝送プロセスを解放する。
【０２０１】
伝送待機データを搬送するサブフレームがＳＲＳ及び/または物理アップリンク制御チャネルを伝送すれば、無線リソース制御プロトコル層に、ＳＲＳ及び/または物理アップリンク制御チャネル構成を解放することを通知する。
【０２０２】
上記データ処理仕様に基づいて、伝送待機データを搬送するサブフレームにおいてアップリンクまたはダウンリンク半永続スケジューリングデータの伝送を停止すれば、ネットワーク側装置は、選択した時分割複信アップリンク・ダウンリンク構成により、半永続スケジューリング伝送方向と同一であるサブフレームを選択して、当該半永続スケジューリングにより伝送しようとするデータに対し、動的スケジューリングを行う第５データ処理モジュールを備える。
【０２０３】
ユーザー設備が動的時分割複信アップリンク・ダウンリンク構成のサポートを確定し、ユーザー設備の動的時分割複信アップリンク・ダウンリンク構成を起動する場合、ネットワーク側装置は、アップリンク/ダウンリンク半永続スケジューリングリソースを解放する第６データ処理モジュールを備える。
【０２０４】
ネットワーク側装置は、伝送待機データを搬送するサブフレームの事前確定した伝送方向を取得する第７データ処理モジュールを備える。
事前確定した伝送方向と同一の時分割複信アップリンク・ダウンリンク構成を選択し、選択した時分割複信アップリンク・ダウンリンク構成は、時分割複信アップリンク・ダウンリンク指示が指示した時分割複信アップリンク・ダウンリンク構成である。
【０２０５】
ネットワーク側装置は、第８データ処理モジュールを備える。
当該第８データ処理モジュールは、伝送方向が固定されるサブフレームを確定し、伝送方向が固定されるサブフレームにおいて、アップリンク・ダウンリンク半永続スケジューリングの設定、アップリンク制御チャネルリソース設定、ＰＲＡＣＨリソースの設定、及び/またはＳＲＳリソースの設定を行う。
【０２０６】
本出願に係る実施例のネットワーク側装置は基地局であってもよいし、これに限られない。
【０２０７】
方法と同様な発明思想に基づいて、本出願に係る実施例は、他のユーザー設備を提供し、図１０に示すように、プロセッサ１０００と、送受信機１０１０とを備える。
【０２０８】
プロセッサ１０００は、送受信機１０１０を介してネットワーク側装置に能力指示情報を報告し、能力指示情報は、動的時分割複信アップリンク・ダウンリンク構成をサポートするかを示し、動的時分割複信アップリンク・ダウンリンク構成をサポートする場合、時分割複信アップリンク・ダウンリンク構成指示を受信すれば、指示した時分割複信アップリンク・ダウンリンク構成及び現在利用する時分割複信アップリンク・ダウンリンク構成から１セットを選択し、選択した時分割複信アップリンク・ダウンリンク構成に基づいて、各サブフレームの伝送方向を確定する。
【０２０９】
送受信機１０１０は、プロセッサ１０００の制御によりデータを送受信する。
【０２１０】
本出願に係る実施例のユーザー設備のプロセッサ１０００の具体的な実施方法は、方法の実施例を参照することができ、その以上説明しない。
【０２１１】
図１０に示す実施例に基づいて、好ましくは、指示した時分割複信アップリンク・ダウンリンク構成及び現在利用する時分割複信アップリンク・ダウンリンク構成から１セットを選択する場合、プロセッサ１０００は、指示した時分割複信アップリンク・ダウンリンク構成を選択する。
【０２１２】
時分割複信アップリンク・ダウンリンク構成指示を受信する。プロセッサ１０００は、指示した時分割複信アップリンク・ダウンリンク構成で、ユーザー設備に格納した時分割複信アップリンク・ダウンリンク構成を替える。
または、ユーザー設備に格納した、時分割複信アップリンク・ダウンリンク構成と同様な指示した構成仕様を採用する時分割複信アップリンク・ダウンリンク構成をサーチし、指示した時分割複信アップリンク・ダウンリンク構成で、格納した時分割複信アップリンク・ダウンリンク構成を替える。
【０２１３】
図１０に示す実施例に基づいて、好ましくは、指示した時分割複信アップリンク・ダウンリンク構成及び現在利用する時分割複信アップリンク・ダウンリンク構成から１セットを選択する場合、プロセッサ１０００は、時分割複信アップリンク・ダウンリンク構成指示が動的時分割複信アップリンク・ダウンリンク構成指示であるかを判断する。「ＹＥＳ」であれば、指示した時分割複信アップリンク・ダウンリンク構成を選択し、「ＮＯ」であれば、現在利用する時分割複信アップリンク・ダウンリンク構成を選択する。
【０２１４】
時分割複信アップリンク・ダウンリンク構成指示が動的時分割複信アップリンク・ダウンリンク構成指示であるかを判断した後、プロセッサ１０００は、動的時分割複信アップリンク・ダウンリンク構成指示であれば、指示した時分割複信アップリンク・ダウンリンク構成で、ユーザー設備に格納した時分割複信アップリンク・ダウンリンク構成を替える。
または、動的時分割複信アップリンク・ダウンリンク構成指示であれば、ユーザー設備に格納した、指示した時分割複信アップリンク・ダウンリンク構成の構成仕様と同様な時分割複信アップリンク・ダウンリンク構成をサーチし、指示した時分割複信アップリンク・ダウンリンク構成で、格納した時分割複信アップリンク・ダウンリンク構成を替える。
【０２１５】
上記いずれのユーザー設備実施例に基づいて、好ましくは、静的または半静的時分割複信アップリンク・ダウンリンク構成指示及び動的時分割複信アップリンク・ダウンリンク構成指示を同時に受信し、指示した時分割複信アップリンク・ダウンリンク構成及び現在利用する時分割複信アップリンク・ダウンリンク構成から１セットを選択する場合、プロセッサ１０００は、アップリンク・ダウンリンク構成指示が指示した時分割複信アップリンク・ダウンリンク構成を選択する。
【０２１６】
時分割複信アップリンク・ダウンリンク構成指示を受信する。プロセッサ１０００は、動的時分割複信アップリンク・ダウンリンク構成指示が指示した時分割複信アップリンク・ダウンリンク構成で、ユーザー設備に格納した時分割複信アップリンク・ダウンリンク構成を替える。
または、動的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替える。静的または半静的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替える。
【０２１７】
上記いずれのユーザー設備実施例に基づいて、好ましくは、静的または半静的時分割複信アップリンク・ダウンリンク構成指示及び動的時分割複信アップリンク・ダウンリンク構成指示を同時に受信し、指示した時分割複信アップリンク・ダウンリンク構成及び現在利用する時分割複信アップリンク・ダウンリンク構成から１セットを選択する場合、プロセッサ１０００は、静的または半静的時分割複信アップリンク・ダウンリンク構成指示が指示した時分割複信アップリンク・ダウンリンク構成を選択する。
【０２１８】
時分割複信アップリンク・ダウンリンク構成指示を受信する。プロセッサ１０００は、静的または半静的時分割複信アップリンク・ダウンリンク構成指示が指示した時分割複信アップリンク・ダウンリンク構成で、ユーザー設備に格納した時分割複信アップリンク・ダウンリンク構成を替える。
または、動的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替える。静的または半静的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替える。
【０２１９】
上記いずれのユーザー設備実施例に基づいて、選択したサブフレーム伝送方向が事前確定した伝送方向と異なるとの問題点を解決するため、本出願に係る実施例のユーザー設備は、データ伝送を処理することもできる。その具体的な実施方法は、以下いずれのデータ処理モジュールにより行う。
【０２２０】
事前確定した伝送待機データを搬送するサブフレームの伝送方向は、選択した時分割複信アップリンク・ダウンリンク構成により確定した伝送方向と異なれば、プロセッサ１０００は、伝送待機データを搬送するサブフレームにおいて、伝送待機データの伝送を停止する。
【０２２１】
また、プロセッサ１０００は、以下のことに用いられる。
【０２２２】
伝送待機データを搬送するサブフレームがアップリンクまたはダウンリンク半永続スケジューリングデータを伝送すれば、アップリンクまたはダウンリンク半永続スケジューリングリソースを解放する。
【０２２３】
伝送待機データを搬送するサブフレームが初期伝送または物理アップリンク共有チャネルの再伝送に用いられれば、当該サブフレームにて伝送すべく物理層アップリンク共有チャネルに対応するハイブリッド自動再送要求の再伝送プロセスを解放する。
【０２２４】
伝送待機データを搬送するサブフレームがＳＲＳ及び/または物理アップリンク制御チャネルを伝送すれば、無線リソース制御プロトコル層に、ＳＲＳ及び/または物理アップリンク制御チャネル構成を解放することを通知する。
【０２２５】
上記データ処理仕様に基づいて、伝送待機データを搬送するサブフレームにおいてアップリンクまたはダウンリンク半永続スケジューリングデータの伝送を停止すれば、プロセッサ１０００は、選択した時分割複信アップリンク・ダウンリンク構成が半永続スケジューリング伝送方向と同一であるサブフレームにおいて、当該半永続スケジューリングにより伝送しようとするデータの動的スケジューリングを受信する。
【０２２６】
動的時分割複信アップリンク・ダウンリンク構成をサポートするし、動的時分割複信アップリンク・ダウンリンク構成を起動する場合、プロセッサ１０００は、アップリンクまたはダウンリンク半永続スケジューリングリソースを解放する。
【０２２７】
ここで、バスアーキテクチャは、いずれ数の相互接続するバス及びブリッジを備える。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機１０１０は、複数の部品であることができ、即ち、送信機及び受信機を備え、伝送媒体を介して他の装置と通信するユニットを提供する。異なるユーザー設備に対し、ユーザーインターフェース１０３０は、外部接続または内部接続に必要な設備のインターフェースであることもできる。接続する設備は、キーパッド、ディスプレー、スピーカー、マイクロホン、ジョイスティック等を備えるが、これに限られない。
【０２２８】
プロセッサ１０００は、バスアーキテクチャ及び通常処理の管理を担当し、メモリ１０２０は、プロセッサ１０００が操作する際に利用するデータを記憶する。
【０２２９】
方法と同様な発明思想に基づいて、本出願に係る実施例は、他のネットワーク側装置を提供し、図１１に示すように、プロセッサ１１００と、送受信機１１１０とを備える。
【０２３０】
プロセッサ１１００は、ユーザー設備が報告した能力指示情報に基づいて、動的時分割複信アップリンク・ダウンリンク構成をサポートするかを確定し、ユーザー設備が動的時分割複信アップリンク・ダウンリンク構成をサポートする場合、送受信機１１１０がユーザー設備に時分割複信アップリンク・ダウンリンク構成指示を送信した後、指示した時分割複信アップリンク・ダウンリンク構成及びユーザー設備が現在利用する時分割複信アップリンク・ダウンリンク構成から１セットを選択し、選択した時分割複信アップリンク・ダウンリンク構成に基づいて、ユーザー設備のために、各サブフレームの伝送方向を確定する。
【０２３１】
送受信機１１１０は、プロセッサ１１００の制御によりデータを送受信する。
【０２３２】
本出願に係る実施例のネットワーク側装置において、プロセッサ１１００の具体的な実施方法は方法の実施例を参照することができ、この以上説明しない。
【０２３３】
図１１に示す実施例に基づいて、好ましくは、指示した時分割複信アップリンク・ダウンリンク構成及び現在利用する時分割複信アップリンク・ダウンリンク構成から１セットを選択する場合、プロセッサ１１００は、指示した時分割複信アップリンク・ダウンリンク構成を選択する。
【０２３４】
時分割複信アップリンク・ダウンリンク構成指示を送信した後、プロセッサ１１００は、指示した時分割複信アップリンク・ダウンリンク構成で、ネットワークが格納したユーザー設備の時分割複信アップリンク・ダウンリンク構成を替える。
または、ネットワークが格納した、時分割複信アップリンク・ダウンリンク構成指示の構成仕様と同一であるユーザー設備の時分割複信アップリンク・ダウンリンク構成をサーチし指示した時分割複信アップリンク・ダウンリンク構成で、格納した備の時分割複信アップリンク・ダウンリンク構成を替える。
【０２３５】
図１１に示す実施例に基づいて、好ましくは、指示した時分割複信アップリンク・ダウンリンク構成及び現在利用する時分割複信アップリンク・ダウンリンク構成から１セットを選択する場合、プロセッサ１１００は、時分割複信アップリンク・ダウンリンク構成指示が動的時分割複信アップリンク・ダウンリンク構成指示であるかを判断する。「ＹＥＳ」であれば、指示した時分割複信アップリンク・ダウンリンク構成を選択し、「ＮＯ」であれば、ユーザー設備が現在利用する時分割複信アップリンク・ダウンリンク構成を選択する。
【０２３６】
時分割複信アップリンク・ダウンリンク構成指示が動的時分割複信アップリンク・ダウンリンク構成指示であるかを判断した後、プロセッサ１１００は、動的時分割複信アップリンク・ダウンリンク構成指示であれば、指示した時分割複信アップリンク・ダウンリンク構成で、ネットワークが格納したユーザー設備の時分割複信アップリンク・ダウンリンク構成を替える。
または、動的時分割複信アップリンク・ダウンリンク構成指示であれば、格納した指示した時分割複信アップリンク・ダウンリンク構成の構成仕様と同一であるユーザー設備の時分割複信アップリンク・ダウンリンク構成で、ユーザー設備の時分割複信アップリンク・ダウンリンク構成を替える。
【０２３７】
上記いずれのネットワーク側装置の実施例に基づいて、好ましくは、静的または半静的時分割複信アップリンク・ダウンリンク構成指示及び動的時分割複信アップリンク・ダウンリンク構成指示を同時に送信し、指示した時分割複信アップリンク・ダウンリンク構成及び現在利用する時分割複信アップリンク・ダウンリンク構成から１セットを選択する場合、サブフレーム伝送方向確定モジュール９０１は、動的時分割複信アップリンク・ダウンリンク構成指示が指示した時分割複信アップリンク・ダウンリンク構成を選択する。
【０２３８】
時分割複信アップリンク・ダウンリンク構成指示を送信した後、プロセッサ１１００は、動的時分割複信アップリンク・ダウンリンク構成指示が指示した時分割複信アップリンク・ダウンリンク構成で、ネットワークが格納したユーザー設備の時分割複信アップリンク・ダウンリンク構成を替える。
または、動的時分割複信アップリンク・ダウンリンク指示が指示した時分割複信アップリンク・ダウンリンク構成で、ネットワークがユーザー設備に格納した、同様な構成仕様を採用する時分割複信アップリンク・ダウンリンク構成を替える。静的または半静的時分割複信アップリンク・ダウンリンク指示が指示した時分割複信アップリンク・ダウンリンク構成で、ネットワークがユーザー設備に格納した、同様な構成仕様を採用する時分割複信アップリンク・ダウンリンク構成を替える。
【０２３９】
上記いずれのネットワーク側装置の実施例に基づいて、好ましくは、静的または半静的時分割複信アップリンク・ダウンリンク構成指示及び動的時分割複信アップリンク・ダウンリンク構成指示を同時に送信し、指示した時分割複信アップリンク・ダウンリンク構成及び現在利用する時分割複信アップリンク・ダウンリンク構成から１セットを選択する場合、プロセッサ１１００は、静的または半静的時分割複信アップリンク・ダウンリンク構成指示が指示した時分割複信アップリンク・ダウンリンク構成を選択する。
【０２４０】
時分割複信アップリンク・ダウンリンク構成指示を送信した後、プロセッサ１１００は、静的または半静的時分割複信アップリンク・ダウンリンク構成指示が指示した時分割複信アップリンク・ダウンリンク構成で、ネットワークが格納したユーザー設備の時分割複信アップリンク・ダウンリンク構成を替える。
または、動的時分割複信アップリンク・ダウンリンク指示が指示した時分割複信アップリンク・ダウンリンク構成で、ネットワークがユーザー設備に格納した、同様な構成仕様を採用する時分割複信アップリンク・ダウンリンク構成を替え、静的または半静的時分割複信アップリンク・ダウンリンク指示が指示した時分割複信アップリンク・ダウンリンク構成で、ネットワークがユーザー設備に格納した、同様な構成仕様を採用する時分割複信アップリンク・ダウンリンク構成を替える。
【０２４１】
上記いずれのネットワーク側装置の実施例に基づいて、好ましくは、プロセッサ１１００は、時分割複信アップリンク・ダウンリンク構成指示を送信した後、指示した時分割複信アップリンク・ダウンリンク構成が動的時分割複信アップリンク・ダウンリンク構成であるかを判断する。
「ＹＥＳ」であれば、現在利用する時分割複信アップリンク・ダウンリンク構成に基づいて、ユーザー設備のために各サブフレームの伝送方向を確定する。
「ＮＯ」であれば、指示した時分割複信アップリンク・ダウンリンク構成に基づいて、ユーザー設備のために、各サブフレームの伝送方向を確定し、指示した時分割複信アップリンク・ダウンリンク構成で、現在利用する時分割複信アップリンク・ダウンリンク構成を替える。
【０２４２】
上記いずれのネットワーク側装置の実施例に基づいて、選択したサブフレーム伝送方向が事前確定した伝送方向と異なるとの問題点を解決するため、本出願に係る実施例のネットワーク側装置は、データ伝送を処理することができ、その具体的な実施方法は、以下のように実施できる。
【０２４３】
ユーザー設備のために事前に確定した伝送待機データを搬送するサブフレームの伝送方向が、選択した時分割複信アップリンク・ダウンリンク構成に基づいてユーザー設備のために確定した伝送方向と異なれば、プロセッサ１１００は、伝送待機データを搬送するサブフレームにおいて、伝送待機データの伝送を停止する。
【０２４４】
また、プロセッサ１１００は、以下のことに用いられる。
【０２４５】
伝送待機データを搬送するサブフレームがアップリンクまたはダウンリンク半永続スケジューリングデータを伝送すれば、アップリンクまたはダウンリンク半永続スケジューリングリソースを解放する。
【０２４６】
伝送待機データを搬送するサブフレームが初期伝送または物理アップリンク共有チャネルの再伝送に用いられれば、当該サブフレームにて伝送すべく物理層アップリンク共有チャネルに対応するハイブリッド自動再送要求の再伝送プロセスを解放する。
【０２４７】
伝送待機データを搬送するサブフレームがＳＲＳ及び/または物理アップリンク制御チャネルを伝送すれば、無線リソース制御プロトコル層に、ＳＲＳ及び/または物理アップリンク制御チャネル構成を解放することを通知する。
【０２４８】
上記データ処理仕様に基づいて、伝送待機データを搬送するサブフレームにおいてアップリンクまたはダウンリンク半永続スケジューリングデータの伝送を停止すれば、プロセッサ１１００は、以下のことに用いられる。
【０２４９】
選択した時分割複信アップリンク・ダウンリンク構成により、半永続スケジューリング伝送方向と同一であるサブフレームを選択して、当該半永続スケジューリングにより伝送しようとするデータに対し、動的スケジューリングを行う。
【０２５０】
ユーザー設備が動的時分割複信アップリンク・ダウンリンク構成のサポートを確定し、ユーザー設備の動的時分割複信アップリンク・ダウンリンク構成を起動する場合、プロセッサ１１００は、アップリンク/ダウンリンク半永続スケジューリングリソースを解放する。
【０２５１】
プロセッサ１１００は、伝送待機データを搬送するサブフレームの事前確定した伝送方向を取得する。
事前確定した伝送方向と同一の時分割複信アップリンク・ダウンリンク構成を選択し、選択した時分割複信アップリンク・ダウンリンク構成は、時分割複信アップリンク・ダウンリンク指示が指示した時分割複信アップリンク・ダウンリンク構成である。
【０２５２】
プロセッサ１１００は、伝送方向が固定されるサブフレームを確定する。
伝送方向が固定されるサブフレームにおいて、アップリンク・ダウンリンク半永続スケジューリングの設定、アップリンク制御チャネルリソース設定、ＰＲＡＣＨリソースの設定、及び/またはＳＲＳリソースの設定を行う。
【０２５３】
バスアーキテクチャは、いずれ数の相互接続するバス及びブリッジを備える。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機１１１０は、複数の部品であることができ、即ち、送信機及び受信機を備え、伝送媒体を介して他の装置と通信するユニットを提供する。
【０２５４】
プロセッサ１１００は、バスアーキテクチャ及び通常処理の管理を担当し、メモリ１１２０は、プロセッサ１１００が操作する際に利用するデータを記憶することができる
【０２５５】
本発明の技術案は多様な通信システムに応用することができる。例えば、ＧＳＭ（登録商標）（Ｇｌｏｂａｌ Ｓｙｓｔｅｍ ｏｆ Ｍｏｂｉｌｅ ｃｏｍｍｕｎｉｃａｔｉｏｎ）システム、ＣＤＭＡ（Ｃｏｄｅ Ｄｉｖｉｓｉｏｎ Ｍｕｌｔｉｐｌｅ Ａｃｃｅｓｓ）システム、ＷＣＤＭＡ（登録商標）（Ｗｉｄｅｂａｎｄ Ｃｏｄｅ Ｄｉｖｉｓｉｏｎ Ｍｕｌｔｉｐｌｅ Ａｃｃｅｓｓ）システム、ＧＰＲＳ（Ｇｅｎｅｒａｌ Ｐａｃｋｅｔ Ｒａｄｉｏ Ｓｅｒｖｉｃｅ）、ＬＴＥ（Ｌｏｎｇ Ｔｅｒｍ Ｅｖｏｌｕｔｉｏｎ）システム、ＬＴＥ-Ａ（Ａｄｖａｎｃｅｄ ｌｏｎｇ ｔｅｒｍ ｅｖｏｌｕｔｉｏｎ）システム、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）等に応用できる。
【０２５６】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０２５７】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。  
【０２５８】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０２５９】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。  
【０２６０】
上述した実施形態に記述された技術的な解決手段を改造し、或いはその中の一部の技術要素を置換することもできる。そのような、改造と置換は本発明の各実施形態の技術の範囲から逸脱するとは見なされない。
【０２６１】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０２６２】
１０００  プロセッサ
１０１０  送受信機
１０２０  メモリ
１０３０  ユーザーインターフェース
１１００  プロセッサ
１１１０  送受信機
１１２０  メモリ
【図１】
2016510560.tif 000005
【図２】
2016510560.tif 000006
【図３】
2016510560.tif 000007
【図４】
2016510560.tif 000008
【図５】
2016510560.tif 000009
【図６】
2016510560.tif 000010
【図７】
2016510560.tif 000011
【図８】
2016510560.tif 000012
【図９】
2016510560.tif 000013
【図１０】
2016510560.tif 000014
【図１１】
2016510560.tif 000015
【手続補正書】
【提出日】平成27年8月4日(2015.8.4)
【手続補正１】
【補正対象書類名】特許請求の範囲
【補正対象項目名】全文
【補正方法】変更
【補正の内容】
【特許請求の範囲】
【請求項１】
通信処理方法であって、
ユーザー設備がネットワーク側装置に能力指示情報を報告し、前記能力指示情報は、動的時分割複信アップリンク・ダウンリンク構成をサポートするかを示すステップと、
前記ユーザー設備が動的時分割複信アップリンク・ダウンリンク構成をサポートすれば、時分割複信アップリンク・ダウンリンク構成指示を受信すると、指示した時分割複信アップリンク・ダウンリンク構成及び現在利用する時分割複信アップリンク・ダウンリンク構成から１セットを選択し、選択した時分割複信アップリンク・ダウンリンク構成に基づいて、各サブフレームの伝送方向を確定ステップとを備えることを特徴とする通信処理方法。
【請求項２】
前記ユーザー設備が指示した時分割複信アップリンク・ダウンリンク構成及び現在利用する時分割複信アップリンク・ダウンリンク構成から１セットを選択することは、以下のようであり、
前記ユーザー設備が、前記指示した時分割複信アップリンク・ダウンリンク構成を選択し、
前記ユーザー設備が時分割複信アップリンク・ダウンリンク構成指示を受信した後、前記方法は、
前記ユーザー設備が、前記指示した時分割複信アップリンク・ダウンリンク構成で、ユーザー設備に格納した時分割複信アップリンク・ダウンリンク構成を替えるステップ、
または、
前記ユーザー設備が、前記ユーザー設備に格納した、前記指示した時分割複信アップリンク・ダウンリンク構成の構成仕様と同一である時分割複信アップリンク・ダウンリンク構成をサーチし、前記指示した時分割複信アップリンク・ダウンリンク構成で、前記格納した時分割複信アップリンク・ダウンリンク構成を替えるステップとを備え、
前記ユーザー設備が指示した時分割複信アップリンク・ダウンリンク構成及び現在利用する時分割複信アップリンク・ダウンリンク構成から１セットを選択することは、以下のようであり、
前記ユーザー設備が、前記時分割複信アップリンク・ダウンリンク構成指示が動的時分割複信アップリンク・ダウンリンク構成指示であるかを判断し、「ＹＥＳ」であれば、前記指示した時分割複信アップリンク・ダウンリンク構成を選択し、「ＮＯ」であれば、現在利用する時分割複信アップリンク・ダウンリンク構成を選択し、
前記ユーザー設備が前記時分割複信アップリンク・ダウンリンク構成指示が動的時分割複信アップリンク・ダウンリンク構成指示であるかを判断した後、前記方法は、
動的時分割複信アップリンク・ダウンリンク構成指示であれば、前記ユーザー設備が、前記指示した時分割複信アップリンク・ダウンリンク構成で、ユーザー設備に格納した時分割複信アップリンク・ダウンリンク構成を替え、または、前記ユーザー設備が、ユーザー設備に格納した、前記指示した時分割複信アップリンク・ダウンリンク構成の構成仕様と同一である時分割複信アップリンク・ダウンリンク構成をサーチし、前記指示した時分割複信アップリンク・ダウンリンク構成で、前記格納した時分割複信アップリンク・ダウンリンク構成を替えるステップを備えることを特徴とする請求項１に記載の通信処理方法。
【請求項３】
静的または半静的時分割複信アップリンク・ダウンリンク構成指示及び動的時分割複信アップリンク・ダウンリンク構成指示を同時に受信すれば、前記ユーザー設備が指示した時分割複信アップリンク・ダウンリンク構成及び現在利用する時分割複信アップリンク・ダウンリンク構成から１セットを選択することは、以下のようであり、
前記ユーザー設備が、前記動的時分割複信アップリンク・ダウンリンク構成指示が指示した時分割複信アップリンク・ダウンリンク構成を選択し、
前記ユーザー設備が時分割複信アップリンク・ダウンリンク構成指示を受信した後、前記方法は、
前記ユーザー設備が、前記動的時分割複信アップリンク・ダウンリンク構成指示が指示した時分割複信アップリンク・ダウンリンク構成で、ユーザー設備に格納した時分割複信アップリンク・ダウンリンク構成を替えるステップと、
または、
前記ユーザー設備が、前記動的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替え、前記静的または半静的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替えるステップとを備え、
または、
静的または半静的時分割複信アップリンク・ダウンリンク構成指示及び動的時分割複信アップリンク・ダウンリンク構成指示を同時に受信すれば、前記ユーザー設備が指示した時分割複信アップリンク・ダウンリンク構成及び現在利用する時分割複信アップリンク・ダウンリンク構成から１セットを選択することは、以下のようであり、
前記ユーザー設備が、前記静的または半静的時分割複信アップリンク・ダウンリンク構成指示が指示した時分割複信アップリンク・ダウンリンク構成を選択し、
前記ユーザー設備が時分割複信アップリンク・ダウンリンク構成指示を受信した後、前記方法は、
前記ユーザー設備が、前記静的または半静的時分割複信アップリンク・ダウンリンク構成指示が指示した時分割複信アップリンク・ダウンリンク構成で、ユーザー設備に格納した時分割複信アップリンク・ダウンリンク構成を替えるステップと、
または、
前記ユーザーが、アップリンク・ダウンリンク指示が指示した時分割複信アップリンク・ダウンリンク構成で、ユーザー設備に格納した、同様な構成仕様を採用する時分割複信アップリンク・ダウンリンク構成を替え、前記静的または半静的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替えるステップとを備えることを特徴とする請求項１に記載の通信処理方法。
【請求項４】
事前確定した伝送待機データを搬送するサブフレームの伝送方向が、選択した時分割複信アップリンク・ダウンリンク構成により確定した伝送方向と異なれば、前記方法は、
前記ユーザー設備が、前記伝送待機データを搬送するサブフレームにおいて、前記伝送待機データの伝送を停止するステップを備え、
前記伝送待機データを搬送するサブフレームが、アップリンクまたはダウンリンク半永続スケジューリングデータの伝送に用いれば、前記方法は、
前記ユーザー設備が、アップリンクまたはダウンリンク半永続スケジューリングリソースを解放するステップを備え、
前記伝送待機データを搬送するサブフレームが、初期伝送または物理アップリンク共有チャネルの再伝送に用いれば、前記方法は、
前記ユーザー設備が、前記サブフレームにて伝送すべく物理層アップリンク共有チャネルに対応するハイブリッド自動再送要求の再伝送プロセスを解放するステップを備え、
前記伝送待機データを搬送するサブフレームが、ＳＲＳ及び/または物理アップリンク制御チャネルの伝送に用いれば、前記方法は、
前記ユーザー設備が、無線リソース制御プロトコル層に、前記ＳＲＳ及び/または物理アップリンク制御チャネル構成を解放することを通知するステップを備え、
前記伝送待機データを搬送するサブフレームにおいて、アップリンクまたはダウンリンク半永続スケジューリングデータの伝送を停止すれば、前記方法は、
前記ユーザー設備が、前記選択した時分割複信アップリンク・ダウンリンク構成が半永続スケジューリング伝送方向と同一であるサブフレームにおいて、前記半永続スケジューリングにより伝送しようとするデータの動的スケジューリングを受信するステップを備えることを特徴とする請求項１ないし請求項３のいずれに記載の通信処理方法。
【請求項５】
動的時分割複信アップリンク・ダウンリンク構成をサポートし、動的時分割複信アップリンク・ダウンリンク構成を起動した後、前記方法は、
前記ユーザー設備が、アップリンクまたはダウンリンク半永続スケジューリングリソースを解放するステップを備え、
前記動的時分割複信アップリンク・ダウンリンク構成が利用できなくなった後、前記方法は、
半永続スケジューリングで、アップリンク/ダウンリンク半永続スケジューリングデータの伝送を行うことを特徴とする請求項１ないし請求項４のいずれに記載の通信処理方法。
【請求項６】
伝送時間間隔バンドル伝送の場合、前記指示した時分割複信アップリンク・ダウンリンク構成は、時分割複信アップリンク・ダウンリンク構成０、または１、または６であることを特徴とする請求項１ないし請求項５のいずれに記載の通信処理方法。
【請求項７】
通信処理方法であって、
前記方法は、
ネットワーク側装置が、ユーザー設備から報告した能力指示情報に基づいて、動的時分割複信アップリンク・ダウンリンク構成をサポートするかを確定するステップと、
前記ユーザー設備が動的時分割複信アップリンク・ダウンリンク構成をサポートすれば、前記ネットワーク側装置が前記ユーザー設備に時分割複信アップリンク・ダウンリンク構成指示を送信した後、指示した時分割複信アップリンク・ダウンリンク構成及び前記ユーザー設備が現在利用する時分割複信アップリンク・ダウンリンク構成から１セットを選択し、選択した時分割複信アップリンク・ダウンリンク構成に基づいて、前記ユーザー設備のために、各サブフレームの伝送方向を確定するステップとを備えることを特徴とする通信処理方法。
【請求項８】
前記ネットワーク側装置が、指示した時分割複信アップリンク・ダウンリンク構成及び前記ユーザー設備が現在利用する時分割複信アップリンク・ダウンリンク構成から１セットを選択することは、以下のようであり、
前記ネットワーク側装置が、前記指示した時分割複信アップリンク・ダウンリンク構成を選択し、
前記ネットワーク側装置が時分割複信アップリンク・ダウンリンク構成指示を送信した後、前記方法は、
前記ネットワーク側装置が、前記指示した時分割複信アップリンク・ダウンリンク構成で、ネットワークが格納した前記ユーザー設備の時分割複信アップリンク・ダウンリンク構成を替えるステップと、
または、
前記ネットワーク側装置が、ネットワークが格納した、前記指示した時分割複信アップリンク・ダウンリンク構成の構成仕様と同一である前記ユーザー設備の時分割複信アップリンク・ダウンリンク構成をサーチし、前記指示した時分割複信アップリンク・ダウンリンク構成で、前記格納した前記ユーザー設備の時分割複信アップリンク・ダウンリンク構成を替えるステップとを備え、
または、
前記ネットワーク側装置が、指示した時分割複信アップリンク・ダウンリンク構成及び前記ユーザー設備が現在利用する時分割複信アップリンク・ダウンリンク構成から１セットを選択することは、以下のようであり、
前記ネットワーク側装置が、前記時分割複信アップリンク・ダウンリンク構成指示が動的時分割複信アップリンク・ダウンリンク構成指示であるかを判断し、「ＹＥＳ」であれば、前記指示した時分割複信アップリンク・ダウンリンク構成を選択し、「ＮＯ」であれば、前記ユーザー設備が現在利用する時分割複信アップリンク・ダウンリンク構成を選択し、
前記時分割複信アップリンク・ダウンリンク構成指示が動的時分割複信アップリンク・ダウンリンク構成指示であるかを判断した後、前記方法は、
動的時分割複信アップリンク・ダウンリンク構成指示であれば、前記ネットワーク側装置前記指示した時分割複信アップリンク・ダウンリンク構成で、ネットワークが格納した前記ユーザー設備の時分割複信アップリンク・ダウンリンク構成を替え、または、前記ネットワーク側装置が、ネットワークが格納した、前記指示した時分割複信アップリンク・ダウンリンク構成の構成仕様と同一である前記ユーザー設備の時分割複信アップリンク・ダウンリンク構成をサーチし、前記指示した時分割複信アップリンク・ダウンリンク構成で、前記格納した前記ユーザー設備の時分割複信アップリンク・ダウンリンク構成を替えるステップを備えることを特徴とする請求項７に記載の通信処理方法。
【請求項９】
静的または半静的時分割複信アップリンク・ダウンリンク構成指示及び動的時分割複信アップリンク・ダウンリンク構成指示を同時に送信すれば、前記ネットワーク側装置が、指示した時分割複信アップリンク・ダウンリンク構成及び前記ユーザー設備が現在利用する時分割複信アップリンク・ダウンリンク構成から１セットを選択することは、以下のようであり、
前記ネットワーク側装置は、前記動的時分割複信アップリンク・ダウンリンク構成指示が指示した時分割複信アップリンク・ダウンリンク構成を選択し、
前記ネットワーク側装置が、時分割複信アップリンク・ダウンリンク構成指示を送信した後、前記方法は、
前記ネットワーク側装置が、前記動的時分割複信アップリンク・ダウンリンク構成指示が指示した時分割複信アップリンク・ダウンリンク構成で、ネットワークが格納した前記ユーザー設備の時分割複信アップリンク・ダウンリンク構成を替えるステップと、
または、
前記ネットワーク側装置が、前記動的時分割複信アップリンク・ダウンリンク指示が指示した時分割複信アップリンク・ダウンリンク構成で、ネットワークが前記ユーザー設備格納した同一な構成仕様を採用する時分割複信アップリンク・ダウンリンク構成を替え、前記静的または半静的時分割複信アップリンク・ダウンリンク指示が指示した時分割複信アップリンク・ダウンリンク構成で、ネットワークが前記ユーザー設備に格納した、同一な構成仕様を採用した時分割複信アップリンク・ダウンリンク構成を替えるステップとを備え、
または、
静的または半静的時分割複信アップリンク・ダウンリンク構成指示及び動的時分割複信アップリンク・ダウンリンク構成指示を同時に送信すれば、前記ネットワーク側装置が、指示した時分割複信アップリンク・ダウンリンク構成及び前記ユーザー設備が現在利用する時分割複信アップリンク・ダウンリンク構成から１セットを選択することは、
前記ネットワーク側装置が、前記静的または半静的時分割複信アップリンク・ダウンリンク構成指示が指示した時分割複信アップリンク・ダウンリンク構成を選択し、
前記ネットワーク側装置が、時分割複信アップリンク・ダウンリンク構成指示を送信した後、前記方法は、
前記ネットワーク側装置が、前記静的または半静的時分割複信アップリンク・ダウンリンク構成指示が指示した時分割複信アップリンク・ダウンリンク構成で、ネットワークが格納した前記ユーザー設備の時分割複信アップリンク・ダウンリンク構成を替え、
または、
前記ネットワーク側装置が、前記動的時分割複信アップリンク・ダウンリンク指示が指示した時分割複信アップリンク・ダウンリンク構成で、ネットワークが前記ユーザー設備格納した同一な構成仕様を採用する時分割複信アップリンク・ダウンリンク構成を替え、前記静的または半静的時分割複信アップリンク・ダウンリンク指示が指示した時分割複信アップリンク・ダウンリンク構成で、前記ユーザー設備格納した同一な構成仕様を採用する時分割複信アップリンク・ダウンリンク構成を替えることを特徴とする請求項７または請求項８に記載の通信処理方法。
【請求項１０】
前記ユーザー設備が動的時分割複信アップリンク・ダウンリンク構成をサポートしなければ、前記方法は、
時分割複信アップリンク・ダウンリンク構成指示を送信した後、前記ネットワーク側装置が、指示した時分割複信アップリンク・ダウンリンク構成が動的時分割複信アップリンク・ダウンリンク構成であるかを判断するステップと、
「ＹＥＳ」であれば、前記ネットワーク側が、前記ユーザー設備が現在利用する時分割複信アップリンク・ダウンリンク構成に基づいて前記ユーザー設備のために各サブフレームの伝送方向を確定するステップと、
「ＮＯ」であれば、前記ネットワーク側装置が、前記指示した時分割複信アップリンク・ダウンリンク構成に基づいて、前記ユーザー設備のために、各サブフレームの伝送方向を確定し、前記指示した時分割複信アップリンク・ダウンリンク構成で、前記ユーザー設備現在利用する時分割複信アップリンク・ダウンリンク構成を替えるステップとを備えることを特徴とする請求項８ないし請求項９のいずれに記載の通信処理方法。
【請求項１１】
前記ユーザー設備のために、事前に確定した伝送待機データを搬送するサブフレームの伝送方向が、選択した時分割複信アップリンク・ダウンリンク構成に基づいて前記ユーザー設備のために確定した伝送方向が異なれば、前記方法は、
前記ネットワーク側装置が、前記伝送待機データを搬送するサブフレームにおいて、伝送待機データの伝送を停止するステップを備え、
前記伝送待機データを搬送するサブフレームが、アップリンクまたはダウンリンク半永続スケジューリングデータの伝送に用いれば、前記方法は、
前記ネットワーク側装置が、アップリンクまたはダウンリンク半永続スケジューリングリソースを解放するステップを備え、
前記伝送待機データを搬送するサブフレームが、初期伝送または物理アップリンク共有チャネルの再伝送に用いれば、前記方法は、
前記ネットワーク側装置が、前記サブフレームにて伝送すべく物理層アップリンク共有チャネルに対応するハイブリッド自動再送要求の再伝送プロセスを解放するステップを備え、
前記伝送待機データを搬送するサブフレームが、ＳＲＳ及び/または物理アップリンク制御チャネルの伝送に用いれば、前記方法は、
前記ネットワーク側装置が、無線リソース制御プロトコル層に、前記ＳＲＳ及び/または物理アップリンク制御チャネル構成を解放することを通知するステップを備え、
前記伝送待機データを搬送するサブフレームにおいて、アップリンクまたはダウンリンク半永続スケジューリングデータの伝送を停止すれば、前記方法は、
前記ネットワーク側装置が、前記選択した時分割複信アップリンク・ダウンリンク構成により、半永続スケジューリング伝送方向と同一のサブフレームを選択して、前記半永続スケジューリングにより伝送しようとするデータに対し、動的スケジューリングを行うステップを備えることを特徴とする請求項７ないし請求項１０のいずれに記載の通信処理方法。
【請求項１２】
前記ユーザー設備支持動的時分割複信アップリンク・ダウンリンク構成を確定し、前記ユーザー設備の動的時分割複信アップリンク・ダウンリンク構成を起動した後、前記方法は、
前記ネットワーク側装置が、前記ユーザー設備に対応するアップリンク/ダウンリンク半永続スケジューリングリソースを解放するステップを備え、
前記ユーザー設備の動的時分割複信アップリンク・ダウンリンク構成が利用できなくなった後、前記方法は、
半永続スケジューリングスケジューリングで、前記ユーザー設備がアップリンク/ダウンリンク半永続スケジューリングデータの伝送を行うステップを備えることを特徴とする請求項７ないし請求項１１のいずれに記載の通信処理方法。
【請求項１３】
前記方法は、
前記ネットワーク側装置が、伝送待機データを搬送するサブフレームの事前確定した伝送方向を取得するステップと、
前記ネットワーク側装置が、事前確定した伝送方向と同一の時分割複信アップリンク・ダウンリンク構成を選択し、選択した時分割複信アップリンク・ダウンリンク構成が、前記時分割複信アップリンク・ダウンリンク指示が指示した時分割複信アップリンク・ダウンリンク構成であるステップとを備え、
または、
前記方法は、
前記ネットワーク側装置が、伝送方向が固定されるサブフレームを確定するステップと、
前記ネットワーク側装置が、前記伝送方向が固定されるサブフレームにおいて、アップリンク・ダウンリンク半永続スケジューリングの設定、アップリンク制御チャネルリソースの設定、ＰＲＡＣＨリソースの設定、及び/またはＳＲＳリソースの設定を行うステップとを備えることを特徴とする請求項７ないし請求項１２のいずれに記載の通信処理方法。
【請求項１４】
ユーザー設備であって、
前記ユーザー設備は、
ネットワーク側装置に能力指示情報を報告し、前記能力指示情報は、動的時分割複信アップリンク・ダウンリンク構成をサポートするかを示す能力報告モジュールと、
動的時分割複信アップリンク・ダウンリンク構成をサポートする場合、時分割複信アップリンク・ダウンリンク構成指示を受信すれば、指示した時分割複信アップリンク・ダウンリンク構成及び現在利用する時分割複信アップリンク・ダウンリンク構成から１セットを選択し、選択した時分割複信アップリンク・ダウンリンク構成に基づいて、各サブフレームの伝送方向を確定するサブフレーム伝送方向確定モジュールとを備えることを特徴とするユーザー設備。
【請求項１５】
前記サブフレーム伝送方向確定モジュールは、
指示した時分割複信アップリンク・ダウンリンク構成及び現在利用する時分割複信アップリンク・ダウンリンク構成から１セットを選択する場合、前記指示した時分割複信アップリンク・ダウンリンク構成を選択し、
時分割複信アップリンク・ダウンリンク構成指示を受信した後、前記指示した時分割複信アップリンク・ダウンリンク構成で、ユーザー設備に格納した時分割複信アップリンク・ダウンリンク構成を替え、または時分割複信アップリンク・ダウンリンク構成指示を受信した後、ユーザー設備に格納した、前記時分割複信アップリンク・ダウンリンク構成指示の構成仕様と同様な時分割複信アップリンク・ダウンリンク構成をサーチし、前記指示した時分割複信アップリンク・ダウンリンク構成で、前記格納した時分割複信アップリンク・ダウンリンク構成を替え、
または、
前記サブフレーム伝送方向確定モジュールは、
指示した時分割複信アップリンク・ダウンリンク構成及び現在利用する時分割複信アップリンク・ダウンリンク構成から１セットを選択する場合、前記時分割複信アップリンク・ダウンリンク構成指示が動的時分割複信アップリンク・ダウンリンク構成指示であるかを判断し、「ＹＥＳ」であれば、前記指示した時分割複信アップリンク・ダウンリンク構成を選択し、「ＮＯ」であれば、現在利用する時分割複信アップリンク・ダウンリンク構成を選択し、
前記時分割複信アップリンク・ダウンリンク構成指示が動的時分割複信アップリンク・ダウンリンク構成指示であるかを判断した後、動的時分割複信アップリンク・ダウンリンク構成指示であれば、前記指示した時分割複信アップリンク・ダウンリンク構成で、ユーザー設備に格納した時分割複信アップリンク・ダウンリンク構成を替え、または、前記時分割複信アップリンク・ダウンリンク構成指示が動的時分割複信アップリンク・ダウンリンク構成指示であるかを判断した後、ユーザー設備に格納した、前記指示した時分割複信アップリンク・ダウンリンク構成の構成仕様と同一である時分割複信アップリンク・ダウンリンク構成をサーチし、前記指示した時分割複信アップリンク・ダウンリンク構成で、前記格納した時分割複信アップリンク・ダウンリンク構成を替えることを特徴とする請求項１４に記載のユーザー設備。
【請求項１６】
記サブフレーム伝送方向確定モジュールは、
静的または半静的時分割複信アップリンク・ダウンリンク構成指示及び動的時分割複信アップリンク・ダウンリンク構成指示を同時に受信すれば、指示した時分割複信アップリンク・ダウンリンク構成及び現在利用する時分割複信アップリンク・ダウンリンク構成から１セットを選択する場合、前記動的時分割複信アップリンク・ダウンリンク構成指示が指示した時分割複信アップリンク・ダウンリンク構成を選択し、
前記サブフレーム伝送方向確定モジュールは、
時分割複信アップリンク・ダウンリンク構成指示を受信した後、前記動的時分割複信アップリンク・ダウンリンク構成指示が指示した時分割複信アップリンク・ダウンリンク構成で、ユーザー設備に格納した時分割複信アップリンク・ダウンリンク構成を替え、または時分割複信アップリンク・ダウンリンク構成指示を受信した後、前記動的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替え、前記静的または半静的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替え、
または、
前記サブフレーム伝送方向確定モジュールは、
静的または半静的時分割複信アップリンク・ダウンリンク構成指示及び動的時分割複信アップリンク・ダウンリンク構成指示を同時に受信すれば、指示した時分割複信アップリンク・ダウンリンク構成及び現在利用する時分割複信アップリンク・ダウンリンク構成から１セットを選択する場合、前記静的または半静的時分割複信アップリンク・ダウンリンク構成指示が指示した時分割複信アップリンク・ダウンリンク構成を選択し、
時分割複信アップリンク・ダウンリンク構成指示を受信した後、前記静的または半静的時分割複信アップリンク・ダウンリンク構成指示が指示した時分割複信アップリンク・ダウンリンク構成で、ユーザー設備に格納した時分割複信アップリンク・ダウンリンク構成を替え、または時分割複信アップリンク・ダウンリンク構成指示を受信した後、前記動的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替え、前記静的または半静的時分割複信アップリンク・ダウンリンク指示が指示した時分割複信アップリンク・ダウンリンク構成で、ユーザー設備に格納した、同様な構成仕様を採用する時分割複信アップリンク・ダウンリンク構成を替えることを特徴とする請求項１４または請求項１５に記載のユーザー設備。
【請求項１７】
ネットワーク側装置であって、
前記ネットワーク側装置は、
ユーザー設備が報告した能力指示情報に基づいて、動的時分割複信アップリンク・ダウンリンク構成をサポートするかを確定する構成方式サポート確定モジュールと、
ユーザー設備が動的時分割複信アップリンク・ダウンリンク構成をサポートする場合、前記ユーザー設備に時分割複信アップリンク・ダウンリンク構成指示を送信した後、指示した時分割複信アップリンク・ダウンリンク構成及び前記ユーザー設備が現在利用する時分割複信アップリンク・ダウンリンク構成から１セットを選択し、選択した時分割複信アップリンク・ダウンリンク構成に基づいて、前記ユーザー設備のために、各サブフレームの伝送方向を確定するサブフレーム伝送方向確定モジュールとを備えることを特徴とするネットワーク側装置。
【国際調査報告】
2016510560.tif 000016
2016510560.tif 000017
2016510560.tif 000018
2016510560.tif 000019